(57)【要約】  ユーザ機器（ＵＥ）のためのアクティブなチャネル状態情報基準信号（ＣＳＩ−ＲＳ）構成を示すための技法が開示される。ＵＥは、複数のＣＳＩ−ＲＳ構成で構成されることができ、そのＣＳＩ−ＲＳ構成のうちのどれがアクティブであるかを示すシグナリングを受信しうる。改善されたパフォーマンスが、アクティブなＣＳＩ−ＲＳ構成を動的にシグナリングすることによって取得されうる。一例において、ＵＥは、ＵＥのために構成された複数のＣＳＩ−ＲＳ構成を示す第１のシグナリング（例えば、上位レイヤシグナリング）を受信しうる。ＵＥは、ＵＥのための少なくとも１つのアクティブなＣＳＩ−ＲＳ構成を示す第２のシグナリング（例えば、下位レイヤシグナリング）を受信しうる。（複数を含む）アクティブなＣＳＩ−ＲＳ構成は、複数のＣＳＩ−ＲＳ構成のすべてまたはサブセットを含みうる。ＵＥは、ＵＥのための少なくとも１つのアクティブなＣＳＩ−ＲＳ構成に基づいて、少なくとも１つの通信タスクを実行しうる。（複数を含む）通信タスクは、ディレートマッチング、ＣＳＩ報告、セルセットの管理等を含みうる。
2015524641.tif 000002
【特許請求の範囲】
【請求項１】
ユーザ機器（ＵＥ）のために構成された複数のチャネル状態情報基準信号（ＣＳＩ−ＲＳ）構成を示す第１のシグナリングを受信することと、
前記ＵＥのための少なくとも１つのアクティブなＣＳＩ−ＲＳ構成を示す第２のシグナリングを受信することと、前記少なくとも１つのアクティブなＣＳＩ−ＲＳ構成は、前記複数のＣＳＩ−ＲＳ構成のすべてまたはサブセットを含む、
前記ＵＥのための前記少なくとも１つのアクティブなＣＳＩ−ＲＳ構成に基づいて前記ＵＥによって少なくとも１つの通信タスクを実行することと、
を備える、ワイヤレス通信のための方法。
【請求項２】
第１のシグナリングを前記受信することは、前記ＵＥのために構成された前記複数のＣＳＩ−ＲＳ構成を示す上位レイヤシグナリングを受信することを備え、ここにおいて、第２のシグナリングを前記受信することは、前記ＵＥのための前記少なくとも１つのアクティブなＣＳＩ−ＲＳ構成を示す下位レイヤシグナリングを受信することを備える、請求項１に記載の方法。
【請求項３】
第１のシグナリングを前記受信することは、前記ＵＥのために構成された前記複数のＣＳＩ−ＲＳ構成を示す無線リソース制御（ＲＲＣ）シグナリングを受信することを備え、ここにおいて、第２のシグナリングを前記受信することは、前記ＵＥのための前記少なくとも１つのアクティブなＣＳＩ−ＲＳ構成を示す媒体アクセス制御（ＭＡＣ）を介して、または物理チャネル上で制御情報を受信することを備える、請求項１に記載の方法。
【請求項４】
前記複数のＣＳＩ−ＲＳ構成は、前記ＵＥのために静的または半静的に構成され、ここにおいて、前記少なくとも１つのアクティブなＣＳＩ−ＲＳ構成は、動的に前記ＵＥへシグナリングされる、請求項１に記載の方法。
【請求項５】
前記複数のＣＳＩ−ＲＳ構成は、前記ＵＥのために常にアクティブなＣＳＩ−ＲＳ構成の第１のサブセットと前記ＵＥのためにアクティブにされるまたは非アクティブにされることができるＣＳＩ−ＲＳ構成の第２のサブセットとを備え、ここにおいて、前記第２のシグナリングを前記受信することは、ＣＳＩ−ＲＳ構成の前記第２のサブセットにおける前記少なくとも１つのアクティブなＣＳＩ−ＲＳ構成を示す前記第２のシグナリングを受信することを備える、請求項１に記載の方法。
【請求項６】
前記複数のＣＳＩ−ＲＳ構成は、第１の通信タスクのためにアクティブであり、第２の通信タスクのために非アクティブである、ＣＳＩ−ＲＳ構成を備える、請求項１に記載の方法。
【請求項７】
前記複数のＣＳＩ−ＲＳ構成は、第１の通信タスクのためにアクティブにされるまたは非アクティブにされることができ、第２の通信タスクのために常にアクティブである、ＣＳＩ−ＲＳ構成を備える、請求項１に記載の方法。
【請求項８】
前記複数のＣＳＩ−ＲＳ構成は、第１の通信タスクのためにアクティブにされるまたは非アクティブにされることができる第１のＣＳＩ−ＲＳ構成と、第２の通信タスクのために常にアクティブな第２のＣＳＩ−ＲＳ構成とを備える、請求項１に記載の方法。
【請求項９】
前記複数のＣＳＩ−ＲＳ構成は、第１のセルのためのＣＳＩ−ＲＳ構成の第１のセットと第２のセルのためのＣＳＩ−ＲＳ構成の第２のセットを備え、ここにおいて、前記ＵＥのための前記少なくとも１つのアクティブなＣＳＩ−ＲＳ構成は、ＣＳＩ−ＲＳ構成の前記第１または第２のセットの何れかを備える、請求項１に記載の方法。
【請求項１０】
前記複数のＣＳＩ−ＲＳ構成は、ＣＳＩ−ＲＳ構成の少なくとも２つのセットを備え、ＣＳＩ−ＲＳ構成の各セットは、前記ＵＥによって１つまたは複数の通信タスクと関連付けられる、請求項１に記載の方法。
【請求項１１】
前記第２のシグナリングは、ＣＳＩ−ＲＳ構成の前記少なくとも２つのセットのための少なくとも２ビットを有するビットマップを備え、前記ビットマップの各ビットは、ＣＳＩ−ＲＳ構成の関連付けられたセットが前記ＵＥのためにアクティブであるかを示す、請求項１０に記載の方法。
【請求項１２】
ＣＳＩ−ＲＳ構成の少なくとも１つのグループは、ＣＳＩ−ＲＳ構成の前記少なくとも２つのセットに基づいて形成され、ＣＳＩ−ＲＳ構成の各グループは、ＣＳＩ−ＲＳ構成の少なくとも１つのセットを含み、ここにおいて、前記第２のシグナリングは、ＣＳＩ−ＲＳ構成の前記少なくとも１つのグループのための少なくとも１ビットを有するビットマップを備え、前記ビットマップの各ビットは、ＣＳＩ−ＲＳ構成の関連付けられたグループが前記ＵＥのためにアクティブであるかを示す、請求項１０に記載の方法。
【請求項１３】
第２のシグナリングを前記受信することは、ブロードキャストチャネルを介してセルにおけるすべてのＵＥへ送られた、または、マルチキャストチャネルを介して前記ＵＥを含むＵＥのグループへ送られた、前記第２のシグナリングを受信することを備える、請求項１に記載の方法。
【請求項１４】
少なくとも１つの通信タスクを前記実行することは、前記ＵＥのための前記少なくとも１つのアクティブなＣＳＩ−ＲＳ構成に基づいて、ＣＳＩフィードバックを決定することを備える、請求項１に記載の方法。
【請求項１５】
少なくとも１つの通信タスクを前記実行することは、前記ＵＥのための前記少なくとも１つのアクティブなＣＳＩ−ＲＳ構成に基づいて少なくとも１つの物理チャネルのためのディレートマッチングを実行することを備える、請求項１に記載の方法。
【請求項１６】
少なくとも１つの通信タスクを前記実行することは、
前記ＵＥのための前記少なくとも１つのアクティブなＣＳＩ−ＲＳ構成に基づいて第１の物理チャネルのためのディレートマッチングを実行することと、
前記ＵＥのために構成された前記複数のＣＳＩ−ＲＳ構成に基づいて第２の物理チャネルのためのディレートマッチングを実行することと、
を備える、請求項１に記載の方法。
【請求項１７】
少なくとも１つの通信タスクを前記実行することは、前記ＵＥのための前記少なくとも１つのアクティブなＣＳＩ−ＲＳ構成に基づいて干渉を推定することを備える、請求項１に記載の方法。
【請求項１８】
少なくとも１つの通信タスクを前記実行することは、前記ＵＥのための前記少なくとも１つのアクティブなＣＳＩ−ＲＳ構成に基づいて前記ＵＥにサービス提供するために選択可能なセルのセットを維持することを備える、請求項１に記載の方法。
【請求項１９】
前記複数のＣＳＩ−ＲＳ構成のＣＳＩ−ＲＳタイプを決定することをさらに備え、
ここにおいて、少なくとも１つの通信タスクを前記実行することは、第１のＣＳＩ−ＲＳタイプのＣＳＩ−ＲＳ構成を考慮し、第２のＣＳＩ−ＲＳタイプのＣＳＩ−ＲＳ構成を考慮しないことによってディレートマッチングを実行することを備える、
請求項１に記載の方法。
【請求項２０】
少なくとも１つの近隣セルのための少なくとも１つのＣＳＩ−ＲＳ構成を示すシグナリングを受信することと、
前記少なくとも１つの近隣セルのための前記少なくとも１つのＣＳＩ−ＲＳ構成に基づいて前記少なくとも１つの近隣セルからＣＳＩ−ＲＳのための干渉消去を実行することと、
をさらに備える、請求項１に記載の方法。
【請求項２１】
ユーザ機器（ＵＥ）のために構成された複数のチャネル状態情報基準信号（ＣＳＩ−ＲＳ）構成を示す第１のシグナリングを受信することと、
前記ＵＥのための少なくとも１つのアクティブなＣＳＩ−ＲＳ構成を示す第２のシグナリングを受信することと、前記少なくとも１つのアクティブなＣＳＩ−ＲＳ構成は、前記複数のＣＳＩ−ＲＳ構成のすべてまたはサブセットを含む、
前記ＵＥのための前記少なくとも１つのアクティブなＣＳＩ−ＲＳ構成に基づいて前記ＵＥによって少なくとも１つの通信タスクを実行することと、
を行うように構成された少なくとも１つのプロセッサと、
前記少なくとも１つのプロセッサに結合されたメモリと、
を備える、ワイヤレス通信のための装置。
【請求項２２】
前記複数のＣＳＩ−ＲＳ構成は、前記ＵＥのために常にアクティブなＣＳＩ−ＲＳ構成の第１のサブセットと前記ＵＥのためにアクティブにされるまたは非アクティブにされることができるＣＳＩ−ＲＳ構成の第２のサブセットとを備え、ここにおいて、前記少なくとも１つのプロセッサは、ＣＳＩ−ＲＳ構成の前記第２のサブセットにおける少なくとも１つのアクティブなＣＳＩ−ＲＳ構成を示す前記第２のシグナリングを受信するように構成される、請求項２１に記載の装置。
【請求項２３】
前記少なくとも１つのプロセッサは、前記ＵＥのための前記少なくとも１つのアクティブなＣＳＩ−ＲＳ構成に基づいて、ＣＳＩフィードバックを決定するように構成される、請求項２１に記載の装置。
【請求項２４】
前記少なくとも１つのプロセッサは、前記ＵＥのための前記少なくとも１つのアクティブなＣＳＩ−ＲＳ構成に基づいて少なくとも１つの物理チャネルのためのディレートマッチングを実行するように構成される、請求項２１に記載の装置。
【請求項２５】
ユーザ機器（ＵＥ）のために構成された複数のチャネル状態情報基準信号（ＣＳＩ−ＲＳ）構成を示す第１のシグナリングを受信するための手段と、
前記ＵＥのための少なくとも１つのアクティブなＣＳＩ−ＲＳ構成を示す第２のシグナリングを受信するための手段と、前記少なくとも１つのアクティブなＣＳＩ−ＲＳ構成は、前記複数のＣＳＩ−ＲＳ構成のすべてまたはサブセットを含む、
前記ＵＥのための前記少なくとも１つのアクティブなＣＳＩ−ＲＳ構成に基づいて前記ＵＥによって少なくとも１つの通信タスクを実行するための手段と、
を備える、ワイヤレス通信のための装置。
【請求項２６】
前記複数のＣＳＩ−ＲＳ構成は、前記ＵＥのために常にアクティブなＣＳＩ−ＲＳ構成の第１のサブセットと前記ＵＥのためにアクティブにされるまたは非アクティブにされることができるＣＳＩ−ＲＳ構成の第２のサブセットとを備え、ここにおいて、前記第２のシグナリングを受信するための前記手段は、ＣＳＩ−ＲＳ構成の前記第２のサブセットにおける少なくとも１つのアクティブなＣＳＩ−ＲＳ構成を示す前記第２のシグナリングを受信するための手段を備える、請求項２５に記載の装置。
【請求項２７】
少なくとも１つの通信タスクを実行するための前記手段は、前記ＵＥのための前記少なくとも１つのアクティブなＣＳＩ−ＲＳ構成に基づいて、ＣＳＩフィードバックを決定するための手段を備える、請求項２５に記載の装置。
【請求項２８】
少なくとも１つの通信タスクを実行するための前記手段は、前記ＵＥのための前記少なくとも１つのアクティブなＣＳＩ−ＲＳ構成に基づいて少なくとも１つの物理チャネルのためのディレートマッチングを実行するための手段を備える、請求項２５に記載の装置。
【請求項２９】
ユーザ機器（ＵＥ）のために構成された複数のチャネル状態情報基準信号（ＣＳＩ−ＲＳ）構成を示す第１のシグナリングを少なくとも１つのプロセッサに受信させるためのコードと、
前記ＵＥのための少なくとも１つのアクティブなＣＳＩ−ＲＳ構成を示す第２のシグナリングを前記少なくとも１つのプロセッサに受信させるためのコードと、前記少なくとも１つのアクティブなＣＳＩ−ＲＳ構成は、前記複数のＣＳＩ−ＲＳ構成のすべてまたはサブセットを含む、
前記ＵＥのための前記少なくとも１つのアクティブなＣＳＩ−ＲＳ構成に基づいて前記ＵＥによって少なくとも１つの通信タスクを前記少なくとも１つのプロセッサに実行させるためのコードと、
を備える非一時的なコンピュータ可読媒体
を備える、コンピュータプログラム製品。
【請求項３０】
複数のチャネル状態情報基準信号（ＣＳＩ−ＲＳ）構成を有するユーザ機器（ＵＥ）を構成するための第１のシグナリングを送ることと、
前記ＵＥのための少なくとも１つのアクティブなＣＳＩ−ＲＳ構成を示すための第２のシグナリングを送ることと、前記少なくとも１つのアクティブなＣＳＩ−ＲＳ構成は、前記複数のＣＳＩ−ＲＳ構成のすべてまたはサブセットを含む、
前記ＵＥのための前記少なくとも１つのアクティブなＣＳＩ−ＲＳ構成に基づいて少なくとも１つの通信タスクを実行することと、
を備える、ワイヤレス通信のための方法。
【請求項３１】
第１のシグナリングを前記送ることは、前記複数のＣＳＩ−ＲＳ構成を有する前記ＵＥを構成するために上位レイヤシグナリングを送ることを備え、ここにおいて、第２のシグナリングを前記送ることは、前記ＵＥのための前記少なくとも１つのアクティブなＣＳＩ−ＲＳ構成を示すために下位レイヤシグナリングを送ることを備える、請求項３０に記載の方法。
【請求項３２】
第１のシグナリングを前記送ることは、前記複数のＣＳＩ−ＲＳ構成を有する前記ＵＥを構成するために無線リソース制御（ＲＲＣ）シグナリングを送ることを備え、ここにおいて、第２のシグナリングを前記送ることは、前記ＵＥのための前記少なくとも１つのアクティブなＣＳＩ−ＲＳ構成を示すために媒体アクセス制御（ＭＡＣ）を介して、または物理チャネル上で制御情報を送ることを備える、請求項３０に記載の方法。
【請求項３３】
前記複数のＣＳＩ−ＲＳ構成は、前記ＵＥのために常にアクティブなＣＳＩ−ＲＳ構成の第１のサブセットと前記ＵＥのためにアクティブにされるまたは非アクティブにされることができるＣＳＩ−ＲＳ構成の第２のサブセットとを備え、ここにおいて、前記第２のシグナリングを前記送ることは、ＣＳＩ−ＲＳ構成の前記第２のサブセットにおける少なくとも１つのアクティブなＣＳＩ−ＲＳ構成を示す前記第２のシグナリングを送ることを備える、請求項３０に記載の方法。
【請求項３４】
前記複数のＣＳＩ−ＲＳ構成は、第１の通信タスクのためにアクティブであり、第２の通信タスクのために非アクティブであるＣＳＩ−ＲＳ構成を備える、請求項３０に記載の方法。
【請求項３５】
前記複数のＣＳＩ−ＲＳ構成は、第１の通信タスクのためにアクティブにされるまたは非アクティブにされることができ、第２の通信タスクのために常にアクティブであるＣＳＩ−ＲＳ構成を備える、請求項３０に記載の方法。
【請求項３６】
前記複数のＣＳＩ−ＲＳ構成は、第１の通信タスクのためにアクティブにされるまたは非アクティブにされることができる第１のＣＳＩ−ＲＳ構成と、第２の通信タスクのために常にアクティブな第２のＣＳＩ−ＲＳ構成を備える、請求項３０に記載の方法。
【請求項３７】
前記複数のＣＳＩ−ＲＳ構成は、第１のセルのためのＣＳＩ−ＲＳ構成の第１のセットと第２のセルのためのＣＳＩ−ＲＳ構成の第２のセットを備え、ここにおいて、前記ＵＥのための前記少なくとも１つのアクティブなＣＳＩ−ＲＳ構成は、ＣＳＩ−ＲＳ構成の前記第１または第２のセットの何れかを備える、請求項３０に記載の方法。
【請求項３８】
前記複数のＣＳＩ−ＲＳ構成は、ＣＳＩ−ＲＳ構成の少なくとも２つのセットを備え、ＣＳＩ−ＲＳ構成の各セットは、１つまたは複数の通信タスクと関連付けられる、請求項３０に記載の方法。
【請求項３９】
前記第２のシグナリングは、ＣＳＩ−ＲＳ構成の前記少なくとも２つのセットのための少なくとも２ビットを有するビットマップを備え、前記ビットマップの各ビットは、ＣＳＩ−ＲＳ構成の関連付けられたセットが前記ＵＥのためにアクティブであるかを示す、請求項３８に記載の方法。
【請求項４０】
ＣＳＩ−ＲＳ構成の少なくとも１つのグループは、ＣＳＩ−ＲＳ構成の前記少なくとも２つのセットに基づいて形成され、ＣＳＩ−ＲＳ構成の各グループは、ＣＳＩ−ＲＳ構成の少なくとも１つのセットを含み、ここにおいて、前記第２のシグナリングは、ＣＳＩ−ＲＳ構成の前記少なくとも１つのグループのための少なくとも１ビットを有するビットマップを備え、前記ビットマップの各ビットは、ＣＳＩ−ＲＳ構成の関連付けられたグループが前記ＵＥのためにアクティブであるかを示す、請求項３８に記載の方法。
【請求項４１】
第２のシグナリングを前記送ることは、ブロードキャストチャネルを介してセルにおけるすべてのＵＥへ、または、マルチキャストチャネルを介して前記ＵＥを含むＵＥのグループへ、前記第２のシグナリングを送ることを備える、請求項３０に記載の方法。
【請求項４２】
少なくとも１つの近隣セルのための少なくとも１つのＣＳＩ−ＲＳ構成を示すシグナリングを送ることをさらに備える、請求項３０に記載の方法。
【請求項４３】
少なくとも１つの通信タスクを前記実行することは、前記ＵＥのための前記少なくとも１つのアクティブなＣＳＩ−ＲＳ構成に基づいて、前記ＵＥによって決定されたＣＳＩフィードバックを受信することを備える、請求項３０に記載の方法。
【請求項４４】
少なくとも１つの通信タスクを前記実行することは、前記ＵＥのための前記少なくとも１つのアクティブなＣＳＩ−ＲＳ構成に基づいて少なくとも１つの物理チャネルのためのレートマッチングを実行することを備える、請求項３０に記載の方法。
【請求項４５】
少なくとも１つの通信タスクを前記実行することは、
前記ＵＥのための前記少なくとも１つのアクティブなＣＳＩ−ＲＳ構成に基づいて第１の物理チャネルのためのレートマッチングを実行することと、
前記ＵＥのために構成された前記複数のＣＳＩ−ＲＳ構成に基づいて第２の物理チャネルのためのレートマッチングを実行することと、
を備える、請求項３０に記載の方法。
【請求項４６】
前記複数のＣＳＩ−ＲＳ構成のＣＳＩ−ＲＳタイプを決定することをさらに備え、
ここにおいて、少なくとも１つの通信タスクを前記実行することは、第１のＣＳＩ−ＲＳタイプのＣＳＩ−ＲＳ構成を考慮し、第２のＣＳＩ−ＲＳタイプのＣＳＩ−ＲＳ構成を考慮しないことによってレートマッチングを実行することを備える、
請求項３０に記載の方法。
【請求項４７】
複数のチャネル状態情報基準信号（ＣＳＩ−ＲＳ）構成を有するユーザ機器（ＵＥ）を構成するための第１のシグナリングを送ることと、
前記ＵＥのための少なくとも１つのアクティブなＣＳＩ−ＲＳ構成を示すための第２のシグナリングを送ることと、前記少なくとも１つのアクティブなＣＳＩ−ＲＳ構成は、前記複数のＣＳＩ−ＲＳ構成のすべてまたはサブセットを含む、
前記ＵＥのための前記少なくとも１つのアクティブなＣＳＩ−ＲＳ構成に基づいて少なくとも１つの通信タスクを実行することと、
を行うように構成された少なくとも１つのプロセッサと、
前記少なくとも１つのプロセッサに結合されたメモリと、
を備える、ワイヤレス通信のための装置。
【請求項４８】
前記複数のＣＳＩ−ＲＳ構成は、前記ＵＥのために常にアクティブなＣＳＩ−ＲＳ構成の第１のサブセットと前記ＵＥのためにアクティブにされるまたは非アクティブにされることができるＣＳＩ−ＲＳ構成の第２のサブセットとを備え、ここにおいて、前記少なくとも１つのプロセッサは、ＣＳＩ−ＲＳ構成の前記第２のサブセットにおける少なくとも１つのアクティブなＣＳＩ−ＲＳ構成を示す前記第２のシグナリングを送るように構成される、請求項４７に記載の装置。
【請求項４９】
前記少なくとも１つのプロセッサは、前記ＵＥのための前記少なくとも１つのアクティブなＣＳＩ−ＲＳ構成に基づいて、前記ＵＥによって決定されたＣＳＩフィードバックを受信するように構成される、請求項４７に記載の装置。
【請求項５０】
前記少なくとも１つのプロセッサは、前記ＵＥのための前記少なくとも１つのアクティブなＣＳＩ−ＲＳ構成に基づいて少なくとも１つの物理チャネルのためのレートマッチングを実行するように構成される、請求項４７に記載の装置。
【請求項５１】
複数のチャネル状態情報基準信号（ＣＳＩ−ＲＳ）構成を有するユーザ機器（ＵＥ）を構成するための第１のシグナリングを送るための手段と、
前記ＵＥのための少なくとも１つのアクティブなＣＳＩ−ＲＳ構成を示すための第２のシグナリングを送るための手段と、前記少なくとも１つのアクティブなＣＳＩ−ＲＳ構成は、前記複数のＣＳＩ−ＲＳ構成のすべてまたはサブセットを含む、
前記ＵＥのための前記少なくとも１つのアクティブなＣＳＩ−ＲＳ構成に基づいて少なくとも１つの通信タスクを実行するための手段と、
を備える、ワイヤレス通信のための装置。
【請求項５２】
前記複数のＣＳＩ−ＲＳ構成は、前記ＵＥのために常にアクティブなＣＳＩ−ＲＳ構成の第１のサブセットと前記ＵＥのためにアクティブにされるまたは非アクティブにされることができるＣＳＩ−ＲＳ構成の第２のサブセットとを備え、ここにおいて、前記第２のシグナリングを送るための前記手段は、ＣＳＩ−ＲＳ構成の前記第２のサブセットにおける少なくとも１つのアクティブなＣＳＩ−ＲＳ構成を示す前記第２のシグナリングを送るための手段を備える、請求項５１に記載の装置。
【請求項５３】
少なくとも１つの通信タスクを実行するための前記手段は、前記ＵＥのための前記少なくとも１つのアクティブなＣＳＩ−ＲＳ構成に基づいて、前記ＵＥによって決定されたＣＳＩフィードバックを受信するための手段を備える、請求項５１に記載の装置。
【請求項５４】
少なくとも１つの通信タスクを実行するための前記手段は、前記ＵＥのための前記少なくとも１つのアクティブなＣＳＩ−ＲＳ構成に基づいて少なくとも１つの物理チャネルのためのレートマッチングを実行するための手段を備える、請求項５１に記載の装置。
【請求項５５】
複数のチャネル状態情報基準信号（ＣＳＩ−ＲＳ）構成を有するユーザ機器（ＵＥ）を構成するための第１のシグナリングを少なくとも１つのプロセッサに送らせるためのコードと、
前記ＵＥのための少なくとも１つのアクティブなＣＳＩ−ＲＳ構成を示すための第２のシグナリングを前記少なくとも１つのプロセッサに送らせるためのコードと、前記少なくとも１つのアクティブなＣＳＩ−ＲＳ構成は、前記複数のＣＳＩ−ＲＳ構成のすべてまたはサブセットを含む、
前記ＵＥのための前記少なくとも１つのアクティブなＣＳＩ−ＲＳ構成に基づいて少なくとも１つの通信タスクを前記少なくとも１つのプロセッサに実行させるためのコードと、
を備える非一時的なコンピュータ可読媒体
を備える、コンピュータプログラム製品。
【発明の詳細な説明】
【技術分野】
【０００１】
[0001]  本願は、「アクティブなチャネル状態情報基準信号を示すための方法および装置（METHOD AND APPARATUS FOR INDICATING ACTIVE CHANNEL STATE INFORMATION REFERENCE SIGNAL）」と題され、２０１２年８月１３日に出願された米国仮出願番号第６１／６８２，５９４号に対する優先権を主張し、ここにその全体が参照により組み込まれている。
【０００２】
[0002]  本開示は、一般的に、通信に関し、より具体的には、ワイヤレス通信ネットワークにおける通信をサポートするための技法に関する。
【背景技術】
【０００３】
[0003]  ワイヤレス通信ネットワークは、音声、ビデオ、パケットデータ、メッセージング、ブロードキャスト等のような、さまざまな通信コンテンツを提供するために広く展開されている。これらのワイヤレスネットワークは、利用可能なネットワークリソースを共有することによって複数のユーザをサポートできる多元接続ネットワークでありうる。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークを含む。
【０００４】
[0004]  ワイヤレス通信ネットワークは、多数のユーザ機器（ＵＥ）のための通信をサポートすることができる多数の基地局を含みうる。ＵＥは、ダウンリンクとアップリンクを介して、基地局と通信しうる。ダウンリンク（または順方向リンク）は基地局からＵＥへの通信リンクを指し、アップリンク（または逆方向リンク）はＵＥから基地局への通信リンクを指す。
【発明の概要】
【０００５】
[0005]  ＵＥのためのアクティブなチャネル状態情報基準信号（ＣＳＩ−ＲＳ）構成を示すための技法がここに開示される。ＵＥは、複数のＣＳＩ−ＲＳ構成で構成され、そのＣＳＩ−ＲＳ構成のうちのどれがアクティブであるかを示すシグナリングを受信しうる。改善されたパフォーマンスは、ディレートマッチング（de-rate matching）および他の通信タスクのために（常にすべての構成されたＣＳＩ−ＲＳ構成がアクティブであると仮定する代わりに）アクティブなＣＳＩ−ＲＳ構成を動的にシグナリングすることによって取得されうる。
【０００６】
[0006]  一態様では、ＵＥは、ＵＥのために構成された複数のＣＳＩ−ＲＳ構成を示す第１のシグナリング（例えば、上位レイヤシグナリング）を受信しうる。ＵＥは、ＵＥのための少なくとも１つのアクティブなＣＳＩ−ＲＳ構成を示す第２のシグナリング（例えば、下位レイヤシグナリング）を受信しうる。少なくとも１つのアクティブなＣＳＩ−ＲＳ構成は、複数のＣＳＩ−ＲＳ構成のすべてまたはサブセットを含みうる。第２のシグナリングは、個別のＣＳＩ−ＲＳ構成、またはＣＳＩ−ＲＳ構成のセット、またはＣＳＩ−ＲＳ構成のグループに関連しうる。ＵＥは、ＵＥのための少なくとも１つのアクティブなＣＳＩ−ＲＳ構成に基づいて、少なくとも１つの通信タスクを実行しうる。（複数を含む）通信タスクは、ディレートマッチング、ＣＳＩ報告、セルセットの管理等を含みうる。
【０００７】
[0007]  本開示のさまざまな態様および特徴が、以下にさらに詳細に説明される。
【図面の簡単な説明】
【０００８】
【図１】図１は、ワイヤレス通信ネットワークを示す。
【図２】図２は、典型的なフレーム構造を示す。
【図３】図３は、物理チャネルの典型的な送信を示す。
【図４】図４は、ＣＳＩ−ＲＳの典型的な送信を示す。
【図５】図５は、アクティブなＣＳＩ−ＲＳ構成をシグナリングするためのメッセージフローを示す。
【図６】図６は、ＵＥによってＣＳＩ−ＲＳを受信するためのプロセスを示す。
【図７】図７は、セルまたは基地局によってＣＳＩ−ＲＳを送信するためのプロセスを示す。
【図８】図８は、基地局およびＵＥのブロック図を示す。
【図９】図９は、基地局およびＵＥの別のブロック図を示す。
【詳細な説明】
【０００９】
[0017]  ここで説明される技法は、ＣＤＭＡ、ＴＤＭＡ、ＦＤＭＡ、ＯＦＤＭＡ、ＳＣ−ＦＤＭＡおよび他のワイヤレスネットワークのようなさまざまなワイヤレス通信ネットワークのために使用されうる。「ネットワーク」および「システム」という用語は、しばしば交換可能に使用される。ＣＤＭＡネットワークは、ユニバーサル地上無線アクセス（ＵＴＲＡ）、ｃｄｍａ２０００等のような無線技術をインプリメントしうる。ＵＴＲＡは、広帯域ＣＤＭＡ（ＷＣＤＭＡ（登録商標））、時分割同期ＣＤＭＡ（ＴＤ−ＳＣＤＭＡ）、およびＣＤＭＡの他の変形を含む。ｃｄｍａ２０００は、ＩＳ−２０００、ＩＳ−９５、およびＩＳ−８５６規格を含む。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）のような無線技術をインプリメントしうる。ＯＦＤＭＡネットワークは、発展型ＵＴＲＡ（Ｅ−ＵＴＲＡ）、ウルトラモバイルブロードバンド（ＵＭＢ：Ultra Mobile Broadband）、ＩＥＥＥ ８０２．１１（Ｗｉ−ＦｉおよびＷｉ−Ｆｉダイレクト）、ＩＥＥＥ ８０２．１６（ＷｉＭＡＸ）、ＩＥＥＥ ８０２．２０、Ｆｌａｓｈ−ＯＦＤＭ（登録商標）等のような無線技術をインプリメントしうる。ＵＴＲＡ、Ｅ−ＵＴＲＡ、およびＧＳＭは、ユニバーサルモバイルテレコミュニケーションシステム（ＵＭＴＳ）の一部である。周波数分割複信（ＦＤＤ）および時分割複信（ＴＤＤ）の両方における、３ＧＰＰロングタームエボリューション（ＬＴＥ）およびＬＴＥアドバンスト（ＬＴＥ−Ａ）は、ダウンリンク上でＯＦＤＭＡを用い、アップリンク上でＳＣ−ＦＤＭＡを用いる、Ｅ−ＵＴＲＡを使用するＵＭＴＳの直近のリリースである。ＵＴＲＡ、Ｅ−ＵＴＲＡ、ＧＳＭ、ＵＭＴＳ、ＬＴＥおよびＬＴＥ−Ａは、「第３世代パートナーシッププロジェクト」（３ＧＰＰ）と命名された団体からの文書内に説明されている。ｃｄｍａ２０００およびＵＭＢは、「第３世代パートナーシッププロジェクト２」（３ＧＰＰ２）と命名された団体からの文書内に説明されている。ここで説明される技法は、上述されたワイヤレスネットワークおよび無線技術のみならず、他のワイヤレスネットワークおよび無線技術のために使用されうる。明確さのために、これら技法のある態様は、ＬＴＥに関して以下に説明され、また、以下の説明の多くで、ＬＴＥ用語が使用されている。
【００１０】
[0018]  図１は、ＬＴＥネットワークまたは何らかの他のワイヤレスネットワークでありうるワイヤレス通信ネットワーク１００を示す。ワイヤレスネットワーク１００は、多数の発展型ノードＢ（ｅＮＢ）および他のネットワークエンティティを含みうる。ｅＮＢは、ＵＥおよび中継器（relays）と通信することができるエンティティであることができ、ノードＢ、基地局、アクセスポイント等とも称されることができる。ｅＮＢは、特定の地理的エリアのための通信カバレッジを提供し、カバレッジエリア内に位置したＵＥのための通信をサポートしうる。ネットワーク容量を改善するために、ｅＮＢのカバレッジエリア全体は、複数の（例えば、３つの）より小さいエリアに分割されうる。各々のより小さいエリアは、それぞれのｅＮＢサブシステムによってサービス提供されうる。３ＧＰＰでは、「セル」という用語は、ｅＮＢのカバレッジエリア、および／または、このカバレッジエリアにサービス提供する（serving）ｅＮＢサブシステムのことを指しうる。ｅＮＢは、１つまたは複数の（例えば、３つの）セルをサポートしうる。
【００１１】
[0019]  ｅＮＢは、マクロセル、ピコセル、フェムトセル、および／または、何らかの他のタイプのセルに対して通信カバレッジを提供しうる。マクロセルは、比較的大きい地理的エリア（例えば、半径数キロメートル）をカバーし、サービス加入しているＵＥによる制限されていないアクセスを可能にしうる。ピコセルは、比較的小さい地理的エリアをカバーし、サービス加入しているＵＥによる制限されていないアクセスを可能にしうる。フェムトセルは、比較的小さい地理的エリア（例えば、家）をカバーし、このフェムトセルと関連性のあるＵＥ（例えば、クローズド加入者グループ（ＣＳＧ：Closed Subscriber Group）におけるＵＥ）による制限されたアクセスを可能にしうる。図１に示される例において、ワイヤレスネットワーク１００は、３つのマクロセル１１２ａ、１１２ｂ、および１１２ｃのためのマクロｅＮＢ １１０、ピコセル１２４のためのピコｅＮＢ １１４、およびフェムトセル１２６のためのホームｅＮＢ（ＨｅＮＢ）１１６を含む。ネットワークコントローラ１４０は、ｅＮＢのセットに結合され、これらのｅＮＢのために調整および制御を提供しうる。
【００１２】
[0020]  ワイヤレスネットワーク１００は、中継器も含みうる。中継器は、アップストリーム局（例えば、ｅＮＢまたはＵＥ）からデータおよび／またはその他の情報の送信を受信し、ダウンストリーム局（例えば、ＵＥまたはｅＮＢ）にデータおよび／またはその他の情報の送信を送ることができるエンティティでありうる。中継器はまた、他のＵＥに対する送信を中継することができるＵＥでありうる。図１では、中継器１２０は、ｅＮＢ １１０とＵＥ １３０との間の通信を容易にするために、ｅＮＢ １１０およびＵＥ １３０と通信しうる。
【００１３】
[0021]  ＵＥ １３０から１３６は、ワイヤレスネットワーク全体にわたって分布されることができ、各ＵＥは、固定式または移動式であることができる。ＵＥはまた、移動局、端末、アクセス端末、加入者ユニット、局等と称されうる。ＵＥは、セルラ電話、スマートフォン、タブレット、ワイヤレス通信デバイス、携帯情報端末（ＰＤＡ）、ワイヤレスモデム、ハンドヘルドデバイス、ラップトップコンピュータ、コードレス電話、ワイヤレスローカルループ（ＷＬＬ）局、ネットブック、スマートブック等でありうる。ＵＥは、ｅＮＢ、中継器、その他のＵＥ等と通信することが可能でありうる。
【００１４】
[0022]  ＬＴＥは、ダウンリンク上では直交周波数分割多重化（ＯＦＤＭ）を、そしてアップリンク上ではシングルキャリア周波数分割多重化（ＳＣ−ＦＤＭ）を利用する。ＯＦＤＭおよびＳＣ−ＦＤＭは、周波数範囲を複数の（ＮＦＦＴ個の）直交サブキャリアに分割し、これらは、一般的に、トーン、ビン等とも称される。各サブキャリアは、データにより変調されうる。一般に、変調シンボルは、ＯＦＤＭを用いて周波数ドメインで、そして、ＳＣ−ＦＤＭを用いて時間ドメインで送られる。隣接するサブキャリア間の間隔は、固定されることができ、サブキャリアの総数（ＮＦＦＴ個）は、キャリア帯域幅に依存しうる。例えば、サブキャリアの間隔は、１５キロヘルツ（ＫＨｚ）であることができ、ＮＦＦＴは、１．４、３、５、１０または２０メガヘルツ（ＭＨｚ）のキャリア帯域幅に対して、それぞれ、１２８、２５６、５１２、１０２４または２０４８に等しくなりうる。
【００１５】
[0023]  ワイヤレスネットワーク１００は、周波数分割複信（ＦＤＤ）および／または時分割複信（ＴＤＤ）を利用しうる。ＦＤＤについて、ダウンリンクおよびアップリンクは、別々の周波数を割り当てられうる。ダウンリンク送信は、ある周波数上で送られることができ、アップリンク送信は、別の周波数上で送られることができる。ＴＤＤについて、ダウンリンクおよびアップリンクは、同じ周波数を共有することができ、ダウンリンク送信およびアップリンク送信は、異なる時間期間において同じ周波数上で送られることができる。
【００１６】
[0024]  図２は、ＬＴＥにおけるＦＤＤのための典型的なフレーム構造２００を示す。ダウンリンクおよびアップリンクの各々についての送信タイムラインは、無線フレームの単位に分割されうる。各無線フレームは、予め定められた持続時間（例えば、１０ミリ秒（ｍｓ））を有し、０から９のインデックスで１０個のサブフレームに分割されうる。各サブフレームは、２つのスロットを含みうる。各スロットは、Ｌ個のシンボル期間を含み、例えば、（図２において示されるように）通常のサイクリックプレフィックスについては７個のシンボル期間を、または、拡張されたサイクリックプレフィックスについては６個のシンボル期間を含みうる。各サブフレームにおける２Ｌ個のシンボル期間は、０から２Ｌ−１個のインデックスを割り当てられうる。
【００１７】
[0025]  ダウンリンクおよびアップリンクの各々についての利用可能な時間周波数リソースは、リソースブロック（ＲＢ）に分割されうる。ＲＢの数は、キャリア帯域幅に依存し、１．４から２０ＭＨｚのキャリア帯域幅に対して、それぞれ６から１１０個のＲＢに及びうる。各ＲＢは、１つのスロットにおいて１２個のサブキャリアをカバーし、多くのリソースエレメントを含みうる。各リソースエレメントは、１つのシンボル期間において１つのサブキャリアをカバーすることができ、１つの変調シンボルを送るために使用されることができ、これは、実数値あるいは複素数値であることができる。
【００１８】
[0026]  ダウンリンクのためのサブフレームは、ダウンリンクサブフレームと称されることができ、アップリンクのためのサブフレームは、アップリンクサブフレームと称されることができる。図２に示されるように、ダウンリンクサブフレームは、制御領域とデータ領域とを含むことができ、これらは時分割多重化（ＴＤＭ）されうる。制御領域は、ダウンリンクサブフレームの最初のＱ個のシンボル期間を含むことができ、ここで、Ｑは、１、２、３または４に等しくなりうる。Ｑは、サブフレームからサブフレームへと変化し、ダウンリンクサブフレームの第１のシンボル期間において搬送されうる。データ領域は、ダウンリンクサブフレームの残りのシンボル期間を含みうる。
【００１９】
[0027]  セルは、各ダウンリンクサブフレームのある特定のシンボル期間においてセル特有の基準信号（ＣＲＳ）を送信しうる。基準信号は、送信機および受信機によってアプリオリに知られている信号であり、パイロットとも称されうる。ＣＲＳは、例えば、セル識別子（ＩＤ）に基づいて生成される、セルに特有の基準信号である。ＣＲＳは、コヒーレント復調、時間および／または周波数同期等のようなさまざまな目的のために使用されうる。
【００２０】
[0028]  セルは、ダウンリンクサブフレームの制御領域において、物理ダウンリンク制御チャネル（ＰＤＣＣＨ）および／または他の物理チャネルを送信しうる。ＰＤＣＣＨは、ダウンリンクグラント（grants）、アップリンクグラント、送信電力制御（ＴＰＣ）情報等のようなダウンリンク制御情報（ＤＣＩ）を搬送しうる。セルはまた、ダウンリンクサブフレームのデータ領域において、物理ダウンリンク共有チャネル（ＰＤＳＣＨ）、拡張されたＰＤＣＣＨ（ｅＰＤＣＣＨ）、および／または他の物理チャネルも送信しうる。ＰＤＳＣＨは、ダウンリンク上でのデータ送信のためにスケジューリングされたＵＥのためのデータおよび／または他の情報を搬送しうる。ｅＰＤＣＣＨは、ＤＣＩおよび／または他の情報を搬送しうる。
【００２１】
[0029]  図３は、セルによるダウンリンクサブフレームにおけるＰＤＣＣＨ、ｅＰＤＣＣＨ、およびＰＤＳＣＨの典型的な送信を示す。ＰＤＣＣＨおよびＰＤＳＣＨは、ＬＴＥリリース８およびそれ以降でサポートされ、ｅＰＤＣＣＨは、ＬＴＥリリース１１および／またはそれ以降でサポートされうる。セルは、ダウンリンクサブフレームの制御領域において、ＰＤＣＣＨの１つまたは複数のインスタンス（instances）を送信しうる。ＰＤＣＣＨの各インスタンスは、１つまたは複数の制御チャネルエレメント（ＣＣＥ）において送信されることができ、各ＣＣＥは、３６個のリソースエレメントを含む。ＰＤＣＣＨの各インスタンスは、キャリア帯域幅全体にわたって送信されうる。
【００２２】
[0030]  セルは、ＰＤＳＣＨと同様に、ダウンリンクサブフレームのデータ領域においてｅＰＤＣＣＨを送信しうる。ｅＰＤＣＣＨは、制御チャネル容量を増加させるため、周波数ドメインのセル間干渉調整（ＩＣＩＣ：inter-cell interference coordination）をサポートするため、制御チャネルリソースの空間的再使用を改善するため、ビームフォーミングおよび／またはダイバーシチをサポートするため、制御情報を搬送しないキャリア上での動作をサポートするため、ブロードキャスト／ＭＢＳＦＮサブフレームにおける動作をサポートするため、ＬＴＥリリース８に基づいて動作するレガシーＵＥをサポートするキャリア上での共存をサポートするため等のようなさまざまな目的のために使用されうる。
【００２３】
[0031]  ＬＴＥにおけるさまざまなチャネルは、「発展型ユニバーサル地上無線アクセス（Ｅ−ＵＴＲＡ）； 物理チャネルおよび変調（“Evolved Universal Terrestrial Radio Access (E-UTRA); Physical Channels and Modulation,”）」と題された、３ＧＰＰ ＴＳ ３６．２１１において説明されており、またこれは公衆に利用可能である。
【００２４】
[0032]  ワイヤレスネットワーク１００は、複数のキャリア上での動作をサポートすることができ、これはキャリアアグリゲーションまたはマルチキャリア動作と称されることができる。キャリアは、通信のために使用される周波数の範囲を指し、ある特定の特徴に関連付けられうる。例えば、キャリアは、キャリア上の動作を記述する制御情報および／またはシステム情報と関連付けられうる。キャリアは、コンポーネントキャリア（ＣＣ）、周波数チャネル、セル等とも称されうる。ＵＥは、キャリアアグリゲーションのために、アップリンクのための１つまたは複数のキャリアおよびダウンリンクのための複数のキャリアで、構成されうる。セルは、ＵＥへの１つまたは複数のキャリア上でデータおよびＤＣＩを送信しうる。ＵＥは、セルへ１つまたは複数のキャリア上でデータとアップリンク制御情報（ＵＣＩ）を送信しうる。
【００２５】
[0033]  ワイヤレスネットワーク１００は、「レガシー」キャリア上の動作をサポートしうる。レガシーキャリアは、ＬＴＥリリース８において定義されるような動作をサポートするキャリアでありうる。ダウンリンクのためのレガシーキャリアは、プライマリ同期信号（ＰＳＳ）、セカンダリ同期信号（ＳＳＳ）、物理ブロードキャストチャネル（ＰＢＣＨ）、ＰＤＣＣＨ、ＰＤＳＣＨ、および／またはキャリア上のＵＥのための通信をサポートするための他の信号および物理チャネルの送信をサポートしうる。アップリンクのためのレガシーキャリアは、物理アップリンク制御チャネル（ＰＵＣＣＨ）、物理アップリンク共有チャネル（ＰＵＳＣＨ）および／またはキャリア上のＵＥのための通信をサポートするための他の信号および物理チャネルの送信をサポートしうる。
【００２６】
[0034]  ワイヤレスネットワーク１００は、ダウンリンクおよび／またはアップリンク上の新しいキャリアタイプ（ＮＣＴ）のキャリア上での動作もサポートしうる。新しいキャリアタイプのキャリアは、ＮＣＴキャリア、新しいキャリア等とも称されうる。ＮＣＴキャリアは、ＬＴＥリリース８をサポートするレガシーキャリアと後方互換ではないことがある。例えば、ＣＲＳは、レガシーキャリアの場合にそうでありうるように、ダウンリンクサブフレーム毎の代わりに、ダウンリンクサブフレームのサブセット（例えば、５つのダウンリンクサブフレーム毎）においてＮＣＴキャリア上で送信されうる。さらに、ＣＲＳは、（レガシーキャリアの場合にそうでありうるように、複数のアンテナポートを介するおよび／またはキャリア帯域幅全体にわたる代わりに）１つのアンテナポートのみを介しておよび／または狭帯域にわたって送信されうる。ＮＣＴキャリア上のＣＲＳのこれらの特徴は、ダウンリンクオーバーヘッドを低減させ、セルのためにエネルギの節約を提供しうる。
【００２７】
[0035]  ＮＣＴキャリアは、独立型（standalone）キャリアでありうるか、またはキャリアアグリゲーションの一部としてレガシーキャリアと関連付けられうる。ＮＣＴキャリアは、例えば、いくつかのダウンリンクサブフレームまたは場合によってはすべてのダウンリンクサブフレームにおいて、制御領域を有していないこともある。ＮＣＴキャリアは、（ｉ）ＤＣＩを搬送するようにｅＰＤＣＣＨおよび／またはＮＣＴキャリアのデータ領域において送られた他の制御チャネルに、および／または（ｉｉ）ＤＣＩを搬送するように別のキャリアに、依拠（rely on）しうる。
【００２８】
[0036]  図２に戻って参照すると、セルは、ある特定のダウンリンクサブフレームのある特定のシンボル期間においてＣＳＩ−ＲＳを送信しうる。ＣＳＩ−ＲＳは、チャネル測定、干渉測定、ＣＳＩフィードバック、セルセットの管理等のようなさまざまな目的のために使用されうる。図２において示される例において、ＣＳＩ−ＲＳは各無線フレームのダウンリンクサブフレーム０および５において５ミリ秒毎に送信される。ＣＳＩ−ＲＳはまた、他の周期性で（with)および／または他のダウンリンクサブフレームにおいて送信されうる。
【００２９】
[0037]  ＬＴＥリリース１０およびそれ以降は、多数のＣＳＩ−ＲＳ構成をサポートする。各ＣＳＩ−ＲＳ構成は、その中でＣＳＩ−ＲＳが送信されうる、指定の（specific）サブキャリア、指定のシンボル、および指定のスロットと関連付けられる。ＬＴＥリリース１０およびそれ以降はまた、ポートインデックスｐ＝１５を有する１つのアンテナポート、またはポートインデックスｐ＝１５，１６を有する２つのアンテナポート、またはポートインデックスｐ＝１５，…，１８を有する４つのアンテナポート、またはポートインデックスｐ＝１５，…，２２を有する８つのアンテナポートからの、ＣＳＩ−ＲＳの送信をサポートする。ＣＳＩ−ＲＳの送信のために使用されるサブキャリアとシンボル期間は、以下のように与えられうる：
【数１】
2015524641.tif 000003
【数２】
2015524641.tif 000004
【００３０】
ここで、ｋは、その上でＣＳＩ−ＲＳが送信されるサブキャリアのインデックスであり、
ｋ’は、ＣＳＩ−ＲＳ構成によって提供されるサブキャリアオフセットであり、
ｋｐは、ＣＳＩ−ＲＳがそこから送信されるアンテナポートのためのオフセットであり、
ｍは、０から
【数３】
2015524641.tif 000005
【００３１】
のインデックスであり、ここで
【数４】
2015524641.tif 000006
【００３２】
は、ダウンリンク上のＲＢの数であり、
ｌは、その中でＣＳＩ−ＲＳが送信されるシンボル期間のインデックスであり、
ｌ’は、ＣＳＩ−ＲＳ構成によって提供されるシンボル期間オフセットであり、
ｌ”は、多くの場合において、０から１のインデックスである。
【００３３】
[0038]  各ＣＳＩ−ＲＳ構成は、その中でＣＳＩ−ＲＳを送信するための、指定のサブキャリアオフセットｋ’、指定のシンボル期間オフセットｌ’、および指定のスロット（ｎｓ ｍｏｄ ２）と関連付けられる。表１は、通常のサイクリックプレフィックスのための異なる可能なＣＳＩ−ＲＳ構成についてのｋ’、ｌ’、および（ｎｓ ｍｏｄ ２）の値をリストする。ＣＳＩ−ＲＳ構成０から１９は、ＦＤＤおよびＴＤＤの両方について適用可能であり、ＣＳＩ−ＲＳ構成２０から３１は、ＴＤＤについてのみ適用可能である。通常のサイクリックプレフィックスおよび拡張されたサイクリックプレフィックスのための異なる可能なＣＳＩ−ＲＳ構成についてのｋ’、ｌ’および（ｎｓ ｍｏｄ ２）の値は、３ＧＰＰ ３６．２１１において与えられ、これは公衆に利用可能である。
【表１】
2015524641.tif 000007
【００３４】
[0039]  図４は、通常のサイクリックプレフィックスのためのＣＳＩ−ＲＳ構成０に基づいたＣＳＩ−ＲＳの典型的な送信を示す。ＣＳＩ−ＲＳ構成０について、ｋ’＝９、ｌ’＝５、および（ｎｓ ｍｏｄ ２）＝０である。通常のサイクリックプレフィックスについては、ＣＳＩ−ＲＳは、（ｉ）ｋｐ＝０およびｐ∈｛１５，１６｝を有する（with）左のスロットのシンボル期間４および５におけるサブキャリア９上のアンテナポート１５および１６から、（ｉｉ）ｋｐ＝−６およびｐ∈｛１７，１８｝を有する左のスロットのシンボル期間４および５におけるサブキャリア３上のアンテナポート１７および１８から、（ｉｉｉ）ｋｐ＝−１およびｐ∈｛１９，２０｝を有する左のスロットのシンボル期間４および５におけるサブキャリア８上のアンテナポート１９および２０から、および（ｉｖ）ｋｐ＝−７およびｐ∈｛２１，２２｝を有する左のスロットのシンボル期間４および５におけるサブキャリア２上のアンテナポート２１および２２から、送信される。
【００３５】
[0040]  ＵＥは、無線リソース制御（ＲＲＣ）シグナリングのような上位レイヤシグナリングを介してＣＳＩ−ＲＳ構成の１つまたは複数のセットで構成されうる。ＣＳＩ−ＲＳ構成の異なるセットは、異なる目的にかなう（serve）ように指定されることができ（designated）、異なる目的は、ＵＥによって実行される異なる通信タスクと関連付けられることができる。ＵＥは、所与の目的のための１つまたは複数のＣＳＩ−ＲＳ構成で構成されうる。例えば、ＵＥは、ＣＳＩフィードバック、協調された（Coordinated）マルチポイント（ＣｏＭＰ）セット管理、無線リンク管理／無線リソース管理（ＲＬＭ／ＲＲＭ）等のような目的のための複数のＣＳＩ−ＲＳ構成で構成されうる。ＣＳＩフィードバックは、ＵＥからセルへのＣＳＩの報告を参照しうる。ＣＳＩは、チャネル品質インジケータ（ＣＱＩ）、プリコーディング行列インジケータ（ＰＭＩ）、ランクインジケータ（ＲＩ：rank indicator）等を含みうる。ＣｏＭＰセット管理は、ＵＥへのＣｏＭＰ送信に関与（participate）できるセルのセットの管理を参照しうる。ＲＬＭ／ＲＲＭは、ダウンリンクおよび／またはアップリンク上でＵＥにサービス提供するために選択されることができるセルのセットの管理を参照しうる。ＵＥは、異なる時々において、そのＣＳＩ−ＲＳ構成の異なるものを使用しうる。ＣＳＩ−ＲＳ構成の使用は、本開示にしたがって、半静的（semi-statically）、または動的にさえ（even）変化（change）しうる。
【００３６】
[0041]  ＵＥは、同一のセルにおいて他のＵＥとＣＳＩ−ＲＳ構成を共有し、または他のＵＥのＣＳＩ−ＲＳ構成と互換性があるＣＳＩ−ＲＳ構成で構成されうる。さらに、ＵＥへのＣＳＩ−ＲＳ構成の割り当ては、異なるセルに関連した考慮（consideration）を反映（reflect）しうる。例えば、いくつかのＣＳＩ−ＲＳ構成は、他のＣＳＩ−ＲＳ構成が主に（primarily）サービングセルの測定に関連しうる一方で、干渉管理、ＣｏＭＰセット、および他のマルチセル考慮を考慮に入れ（take into account）うる。
【００３７】
[0042]  ＣＳＩ−ＲＳ構成は、非ゼロ電力（non-zero-power）送信またはゼロ電力（zero-power）送信と関連付けられうる。例えば、ＵＥは、ＣＳＩフィードバックに関連するチャネル測定のための非ゼロ電力ＣＳＩ−ＲＳ構成の第１のセットで構成されうる。ＵＥはまた、（ｉ）干渉測定の目的のためのゼロ電力ＣＳＩ−ＲＳ構成の第２のセットと、（ｉｉ）そのＣＳＩフィードバックのために第２のＵＥによって監視される（monitored）ＣＳＩ−ＲＳを説明する（account for）ためのゼロ電力ＣＳＩ−ＲＳ構成の第３のセットで構成されうる。
【００３８】
[0043]  ＵＥは、そのＣＳＩ−ＲＳ構成に基づいてワイヤレスチャネルを測定し、チャネル測定に基づいてＣＳＩを決定しうる。ＵＥは、ＵＥのための非ゼロ電力ＣＳＩ−ＲＳ構成および他のＵＥのためのゼロ電力ＣＳＩ−ＲＳ構成に基づいて、ダウンリンクサブフレームのデータ領域において送られる物理チャネル（例えば、ＰＤＳＣＨおよびｅＰＤＣＣＨ）のためのディレートマッチングを実行しうる。ＵＥは、セルによって実行されるレートマッチング（rate matching）に相補的な方法でディレートマッチングを実行しうる。
【００３９】
[0044]  セル／送信機は、以下のように（as follows）、１つまたは複数のＣＳＩ−ＲＳ構成に基づいて物理チャネル（例えば、ＰＤＳＣＨ）のためのレートマッチングを実行しうる。セルは、（複数を含む）ＣＳＩ−ＲＳ構成に基づいて、（ｉ）物理チャネルに割り当てられるすべてのリソースエレメント（またはデータリソースエレメント）と、（ｉｉ）データリソースエレメントとオーバーラップする、ＣＳＩ−ＲＳのために使用されるすべてのリソースエレメント（またはＣＳＩ−ＲＳリソースエレメント）とを識別しうる。セルは、ＣＳＩ−ＲＳリソースエレメントとオーバーラップするデータリソースエレメントを除くことによって、物理チャネルを送信するために利用可能なリソースエレメントの数を決定しうる。セルは、処理されたデータが物理チャネルのために利用可能なリソースエレメントにおいて送られることができるように、物理チャネルのためにデータを処理（例えば、エンコードおよび変調）しうる。レートマッチングのために、セルは、ＣＳＩ−ＲＳリソースエレメントとオーバーラップするデータリソースエレメント上で物理チャネルのためにデータを送ることを回避しうる。セルは、送るための処理されたデータの量が処理されたデータを送るために利用可能なリソースエレメントの数と一致することを確実にしうる。
【００４０】
[0045]  ＵＥ／受信機は、以下のように、１つまたは複数のＣＳＩ−ＲＳ構成に基づいて物理チャネル（例えば、ＰＤＳＣＨ）のために相補的なディレートマッチングを実行しうる。ＵＥは、（複数を含む）ＣＳＩ−ＲＳ構成に基づいて、（ｉ）物理チャネルに割り当てられるすべてのリソースエレメント（またはデータリソースエレメント）と、（ｉｉ）データリソースエレメントとオーバーラップする、ＣＳＩ−ＲＳのために使用されるすべてのリソースエレメント（またはＣＳＩ−ＲＳリソースエレメント）とを識別しうる。ＵＥは、データリソースエレメントから受信されたシンボルを取得しうる。ディレートマッチングのために、ＵＥは、データシンボルがこれらのリソースエレメント上で送られないため、ＣＳＩ−ＲＳリソースエレメントとオーバーラップするデータリソースエレメントから受信されたシンボルを破棄しうる。ＵＥは、その後、ＣＳＩ−ＲＳリソースエレメントとオーバーラップしないデータリソースエレメントから受信されたシンボルを処理（例えば、復調および復号）しうる。
【００４１】
[0046]  ＵＥは、そのすべてのＣＳＩ−ＲＳ構成のためのディレートマッチングを実行しうる。ＵＥは、同一のセルにおける他のＵＥのためのＣＳＩ−ＲＳ構成を認識していないことがあり、これらの未知のＣＳＩ−ＲＳ構成のためのディレートマッチングを実行できないことがある。結果として、ＵＥは、未知のＣＳＩ−ＲＳ構成によって使用されるＣＳＩ−ＲＳリソースエレメントから受信されたシンボルを（破棄する代わりに）処理しうる。ＵＥのデータパフォーマンスは、未知のＣＳＩ−ＲＳ構成のためのディレートマッチングを実行することに失敗することによって悪影響を与えられうる。したがって、ＵＥは、ＵＥがこれらのＣＳＩ−ＲＳ構成のためのディレートマッチングを実行することおよびパフォーマンスの劣化を回避することを可能にするために、同一のセルにおける他のＵＥのＣＳＩ−ＲＳ構成を通知されうる。
【００４２】
[0047]  セルは、任意の所与の時において多数のＵＥにサービス提供しうる。各ＵＥは、ＣＳＩ−ＲＳ構成の１つまたは複数のセット、例えば、各目的のためのＣＳＩ−ＲＳ構成の少なくとも１つのセット、で構成されうる。各セットは、任意の数のＣＳＩ−ＲＳ構成を含みうる。セルは、ＵＥが物理チャネルのために良い復号パフォーマンスを取得するために、すべてのＣＳＩ−ＲＳ構成に基づいて、（ｉ）ＣＳＩ−ＲＳの測定を行い（make measurements of）、ＣＳＩ−ＲＳフィードバックを送るおよび／または他の機能を実行することと、（ｉｉ）物理チャネル（例えば、ＰＤＳＣＨ）のためのディレートマッチングを実行することを可能にするために、各ＵＥへの多くの非ゼロ電力およびゼロ電力ＣＳＩ−ＲＳ構成を搬送（例えば、上位レイヤシグナリングを介して）することを必要としうる。
【００４３】
[0048]  セルによってサービス提供されるＵＥの数は、例えば、絶え間ない（continual）ＵＥの発着（arrivals and departures）、ＣｏＭＰにおける動的なセルの交換等のため、動的に変化しうる。さらに、所与の地理的エリアにおいてアクティブなセルは、動的に変化しうる。例えば、その中で多くの小さな低電力セルが、マクロセルのカバレッジエリア内に存在しうる、過度に密集した（hyperdense）ワイヤレスネットワークにおいて、トラヒックローディング（traffic loading）、干渉条件（condition）等のようなさまざまな要因に依存して、いくつかの低電力セルは、完全にオフされるか、部分的にオンされる（例えば、サブフレームの限定されたセットにおいてのみオンされる）か、または十分にオンされうる。ＴＤＤについては、セルのアップリンク−ダウンリンクサブフレーム構成は、異なるセルに対するダウンリンクサブフレームおよびアップリンクサブフレームが次第に変化しうるように、動的に変化しうる。動的に変化しているＵＥおよび／または動的に変化しているセルは、ＣＳＩ−ＲＳのためのリソースを効率的に管理することを難しく（challenging）しうる。
【００４４】
[0049]  本開示の一態様では、ＵＥは、第１のシグナリングを介してＣＳＩ−ＲＳ構成の１つまたは複数のセットで構成されることができ、基地局／セルは、そのＣＳＩ−ＲＳ構成のうちのどれがアクティブであるかを示すために、第２のシグナリングをＵＥへ送ることができる。構成されたＣＳＩ−ＲＳ構成は、使用に割り当てられるＣＳＩ−ＲＳ構成であり、ＵＥによって使用されうる。アクティブなＣＳＩ−ＲＳ構成は、少なくとも１つの通信タスク、例えば、レートマッチング、ディレートマッチング等のために考慮されるＣＳＩ−ＲＳ構成である。アクティブなＣＳＩ−ＲＳ構成において実際のＣＳＩ−ＲＳの送信はあることもあり、ないこともある。アクティブなＣＳＩ−ＲＳ構成は、ＵＥのために構成されたＣＳＩ−ＲＳ構成のすべてまたはサブセットを含みうる。第１および第２のシグナリングは、異なる特徴を有するシグナリング、異なる方法で送られるシグナリング、異なる時間で送られるシグナリング、またはプロトコルスタックの異なるレイヤでのシグナリングに対応しうる。
【００４５】
[0050]  ＵＥは、上位レイヤシグナリング（例えば、ＲＲＣ）を介するＣＳＩ−ＲＳ構成で構成されうる。しかしながら、上位レイヤシグナリングは、比較的に遅いことがあり、また、より多くのリソースオーバーヘッドを必要としうる。したがって、ＵＥのために構成されたＣＳＩ−ＲＳ構成は、半静的であることができ、あったとしても（if at all）まれに変化することができる。ここに開示されるように、基地局／セルは、構成されたＣＳＩ−ＲＳ構成のうちのどのＣＳＩ−ＲＳ構成がアクティブかを示すための下位レイヤシグナリングを送りうる。下位レイヤシグナリングは、物理レイヤ（ＰＨＹ）またはメディアアクセス制御（ＭＡＣ）を介して送られ、上位レイヤシグナリングよりも速く、より効率的でありうる。アクティブなＣＳＩ−ＲＳ構成は、ＰＨＹまたはＭＡＣにおいてより速くより効率的な下位レイヤシグナリングを介して動的に（例えば、各サブフレームにおいて）変化されうる。改善されたパフォーマンスが、ディレートマッチングおよび他の通信タスクのために（常にすべての構成されたＣＳＩ−ＲＳ構成がアクティブであると仮定する代わりに）アクティブなＣＳＩ−ＲＳ構成を動的にシグナリングすることによって取得されうる。
【００４６】
[0051]  一例において、アクティブなＣＳＩ−ＲＳ構成は、１つのサブフレーム単位で示され、または決定されうる。ＣＳＩ−ＲＳの存在は、ＣＳＩ−ＲＳ構成の各セットのために、サブフレームに依存しうる。例えば、レートマッチングおよびディレートマッチング上のＣＳＩ−ＲＳ構成の各セットの影響（impact）は、サブフレームに依存しうる。したがって、１つのサブフレーム単位で示すまたは決定するアクティブなＣＳＩ−ＲＳ構成は、もしあるとすれば（if any）、サブフレームのためのアクティブなＣＳＩ−ＲＳ構成に基づいて、各サブフレームにおいて適切に実行されるためにディレートマッチングを可能にしうる。
【００４７】
[0052]  図５は、ＣＳＩ−ＲＳ構成を構成し、アクティブにする（activating）ための典型的なメッセージフロー５００を示す。セルは、１つまたは複数の目的のための複数のＣＳＩ−ＲＳ構成を有するＵＥを構成しうる（ステップ５１２）。セルは、ＵＥのために構成された複数のＣＳＩ−ＲＳ構成を示す上位レイヤシグナリングを送りうる（ステップ５１４）。ＵＥは、上位レイヤシグナリングを受信し、複数のＣＳＩ−ＲＳ構成を記憶しうる（ステップ５１６）。セルは、ＵＥのための少なくとも１つのアクティブなＣＳＩ−ＲＳ構成を決定しうる（ステップ５１８）。セルは、ＵＥのための少なくとも１つのアクティブなＣＳＩ−ＲＳ構成を示す下位レイヤシグナリングを送りうる（ステップ５２０）。
【００４８】
[0053]  セルは、ＵＥのための少なくとも１つのアクティブなＣＳＩ−ＲＳ構成に基づいて、少なくとも１つの通信タスクを実行しうる（ステップ５２２）。ＵＥは、ＵＥのための少なくとも１つのアクティブなＣＳＩ−ＲＳ構成に基づいて、少なくとも１つの相補的な通信タスクを実行しうる（ステップ５２４）。例えば、少なくとも１つのアクティブなＣＳＩ−ＲＳ構成に基づいて、セルは、レートマッチングを実行することができ、ＵＥは、ディレートマッチングを実行することができる。別の例では、少なくとも１つのアクティブなＣＳＩ−ＲＳ構成に基づいて、ＵＥは、ＣＳＩを決定および報告することができ、セルは、ＣＳＩフィードバックを受信することができる。
【００４９】
[0054]  アクティブなＣＳＩ−ＲＳ構成は、さまざまな方法で決定および適用されうる。一例において、ＵＥは、上位レイヤシグナリングを介してＣＳＩ−ＲＳ構成の５つのセットで構成されうる。ＵＥは、ＣＳＩ−ＲＳ構成の最初の２つのセットのみが第１のサブフレームにおいてアクティブであり、ＣＳＩ−ＲＳ構成の５つすべてのセットが第２のサブフレームにおいてアクティブであることを示す下位レイヤシグナリングを受信しうる。ＵＥは、第１のサブフレームにおけるＣＳＩ−ＲＳ構成の最初の２つのセットと関連付けられる通信タスク（例えば、ＣＳＩフィードバック）を実行しうる。ＵＥは、第２のサブフレームにおけるＣＳＩ−ＲＳ構成の５つのセットと関連付けられる通信タスク（例えば、ＣｏＭＰセット管理）を実行しうる。ＵＥはまた、第１のサブフレームにおけるＣＳＩ−ＲＳ構成の最初の２つのセットに基づき、また、第２のサブフレームにおけるＣＳＩ−ＲＳ構成の５つのセットに基づいてディレートマッチングを実行しうる。
【００５０】
[0055]  別の例として、ＵＥは、上位レイヤシグナリングを介してＣＳＩ−ＲＳ構成の２つのセットで構成されうる。ＣＳＩ−ＲＳ構成の第１のセットは、５ｍｓ毎にＣＳＩ−ＲＳ送信と関連付けられ、第１および第２のサブフレームにおいて存在しうる。ＣＳＩ−ＲＳ構成の第２のセットは、１０ｍｓ毎にＣＳＩ−ＲＳ送信と関連付けられ、第２のサブフレームではなく、第１のサブフレームにおいて存在しうる。ＵＥは、ＣＳＩ−ＲＳ構成の２つのセットがアクティブであると示すシグナリングを受信しうる。ＵＥは、第１のサブフレームにおけるＣＳＩ−ＲＳ構成の２つのセットに基づき、また、第２のサブフレームにおけるＣＳＩ−ＲＳ構成の第１のセットのみに基づいてディレートマッチングを実行しうる。
【００５１】
[0056]  さらに別の例として、ＵＥは、第１のセルのためのＣＳＩ−ＲＳ構成の第１のセットおよび第２のセルのためのＣＳＩ−ＲＳ構成の第２のセットで構成されうる。第１および第２のセルは、ノードＢにおける２つのセル、同一のｅＮＢの２つのキャリア、２つのｅＮＢにおける２つのセル等に対応しうる。ＵＥは、ＣＳＩ−ＲＳ構成の１つのセットのみがアクティブであることを示すシグナリングを受信しうる。ＵＥは、その後、ＣＳＩ−ＲＳ構成のアクティブなセットに関連する通信タスクを実行しうる。
【００５２】
[0057]  シグナリングは、所与のＵＥのためのアクティブなＣＳＩ−ＲＳ構成を示すために、さまざまな方法で送られうる。一例において、アクティブなＣＳＩ−ＲＳ構成を示すユニキャストシグナリングは、具体的にはＵＥに送られうる。ユニキャストシグナリングは、（ｉ）１つまたは複数のイベントによってトリガされる場合、例えば、ＵＥのためのアクティブなＣＳＩ−ＲＳ構成において変化がある場合、または（ｉｉ）定期的に、例えば、Ｘ個のサブフレーム毎に、または（ｉｉｉ）ＣＳＩ−ＲＳの送信の前に、またはそれと同時に、送られうる。別の例において、アクティブなＣＳＩ−ＲＳ構成を示すマルチキャストシグナリングは、アクティブなＣＳＩ−ＲＳ構成によって影響を受けることがある（例えば、同一のセルの中の）ＵＥのグループに送られうる。ＵＥのグループは、アクティブなＣＳＩ−ＲＳ構成を示すシグナリングについて、（例えば、ＬＴＥにおけるＰＤＣＣＨ上で送られたＤＣＩ ３／３Ａグループ電力制御と同様に）マルチキャスト／グループキャストのチャネルを監視し、このシグナリングに基づいて、ディレートマッチングおよび／または他の通信タスクを実行しうる。さらに別の例において、アクティブなＣＳＩ−ＲＳ構成を示すブロードキャストのシグナリングは、セルにおけるすべてのＵＥに送られうる。セルにおけるすべてのＵＥは、アクティブなＣＳＩ−ＲＳ構成を示すシグナリングについて、ブロードキャストチャネルを監視しうる。シグナリングは、定期的に、例えば、Ｘ個のサブフレーム毎にブロードキャストされることがあり、ここで、Ｘは、任意の整数値でありうる。
【００５３】
[0058]  一例において、基地局／セルは、どのＣＳＩ−ＲＳ構成がアクティブであるかを示すためのＰＤＣＣＨおよび／またはｅＰＤＣＣＨ上でシグナリングを送りうる。別の例において、ＭＡＣベースのシグナリングは、アクティブなＣＳＩ−ＲＳ構成を示すために送られうる。例えば、キャリアのアクティベーション（activation）／ディアクティベーション（deactivation）を示すために使用されるものと同様のＭＡＣベースのシグナリングは、アクティブなＣＳＩ−ＲＳ構成を示すために送られうる。さらに別の例において、シグナリングは、半永続的に（semi-persistently）アクティブなＣＳＩ−ＲＳ構成を示すために送られ、半永続的なシグナリングと称されうる。例えば、アクティブなＣＳＩ−ＲＳ構成のための半永続的なシグナリングは、トラヒックデータ送信のための拡張された時間期間のあいだにＵＥへリソースを割り当てるために使用される半永続的なスケジューリング（ＳＰＳ）シグナリングと同様の方法で送られうる。ＳＰＳシグナリングは、その中でリソースグラントがデータの各送信のために送られる動的スケジューリングと比較して、シグナリングオーバーヘッドを低減するために使用されうる。半永続的なシグナリングは、拡張された時間期間のあいだ、アクティブなＣＳＩ−ＲＳ構成を搬送するために使用されうる。例えば、アクティブなＣＳＩ−ＲＳ構成は、終了の時間（termination time）が満了する（reached）まで、またはアクティブなＣＳＩ−ＲＳ構成をキャンセルするためにシグナリングが送られるまで、有効でありうる。
【００５４】
[0059]  一例において、シグナリングは、ＣＳＩ−ＲＳ構成の各セットがアクティブであるかを示しうる。例えば、ＵＥは、ＣＳＩ−ＲＳ構成のＮ個のセットで構成されうる、ここで、Ｎは、１またはそれより大きな任意の整数値でありうる。Ｎビットのビットマップは、定義づけられ、ＵＥのために構成されたＣＳＩ−ＲＳ構成の各セットのために１ビットを含みうる。ビットマップの各ビットは、（ｉ）そのビットと関連付けられたＣＳＩ−ＲＳ構成のセットがアクティブである場合、第１の値（例えば、「１」）に、または（ｉｉ）ＣＳＩ−ＲＳ構成の関連付けられたセットがアクティブでない場合、第２の値（例えば、「０」）に設定されうる。
【００５５】
[0060]  別の例において、ＵＥのためのＣＳＩ−ＲＳ構成のセットは、グループに組織化されることができ、ここで各グループはＣＳＩ−ＲＳ構成の１つまたは複数のセットを含む。例えば、ＵＥは、ＣＳＩ−ＲＳ構成のＮ個のセットで構成されることができ、これは、Ｋ個のグループに編成されることができ、ここで、一般的には、１≦Ｋ≦Ｎである。シグナリングは、ＣＳＩ−ＲＳ構成のどのグループがアクティブであるかを示すために送られうる。Ｋビットのビットマップは、定義づけられ、各グループについて１ビットを含みうる。ビットマップの各ビットは、（ｉ）そのビットと関連付けられたＣＳＩ−ＲＳ構成のグループがアクティブである場合、第１の値（例えば、「１」）に、または（ｉｉ）ＣＳＩ−ＲＳ構成の関連付けられたグループがアクティブでない場合、第２の値（例えば、「０」）に設定されうる。
【００５６】
[0061]  ＵＥは、ＵＥのために常にアクティブでありうるＣＳＩ−ＲＳ構成の１つまたは複数のセットを有しうる。例えば、ＣＳＩチャネル測定のためのＣＳＩ−ＲＳ構成の１つのセットおよび干渉測定のためのＣＳＩ−ＲＳ構成の１つのセットは、ＵＥのために常にアクティブでありうる。別の例として、ＵＥのためのすべての非ゼロ電力ＣＳＩ−ＲＳ構成は、常にアクティブでありうる。一例において、ＵＥのためのＣＳＩ−ＲＳ構成のセットは、（ｉ）ＵＥのために常にアクティブであるＣＳＩ−ＲＳ構成のプライマリグループおよび（ｉｉ）ＵＥのためにアクティブにされる（activated）または非アクティブ（deactivated）にされることができるＣＳＩ−ＲＳ構成の１つまたは複数のセカンダリグループへ配置され（arranged）うる。シグナリングは、（複数を含む）セカンダリグループにおけるＣＳＩ−ＲＳ構成のどのグループまたはセットがＵＥのためにアクティブであるかを示すために、（複数を含む）セカンダリグループのみのために送られうる。
【００５７】
[0062]  ＵＥは、さまざまな方法でＣＳＩ−ＲＳを考慮に入れることによって、ディレートマッチングを実行しうる。一例において、ＵＥは、アクティブなＣＳＩ−ＲＳ構成のみのためにディレートマッチングを実行し、非アクティブなＣＳＩ−ＲＳ構成のためにはディレートマッチングを実行しないことがありうる。別の例において、ＵＥは、ＣＳＩ−ＲＳタイプに依存するディレートマッチングを実行しうる。各ＣＳＩ−ＲＳタイプは、異なる目的に関連付けられうる。例えば、ＵＥは、ＣＳＩフィードバックのためのＣＳＩ−ＲＳ構成の１つまたは複数のセット、ＣｏＭＰセット管理のためのＣＳＩ−ＲＳ構成の１つまたは複数のセット、ＲＬＭ／ＲＲＭのためのＣＳＩ−ＲＳ構成の１つまたは複数のセット、ゼロ電力ＣＳＩ−ＲＳ構成の１つまたは複数のセット、非ゼロ電力ＣＳＩ−ＲＳ構成の１つまたは複数のセット等で構成されうる。異なるタイプのＣＳＩ−ＲＳ構成は、ディレートマッチングのために異なって（differently）シグナリングされ、および／または、対処され（handled）うる。例えば、ＵＥは、ＣＳＩフィードバックおよびＣｏＭＰセット管理のためのＣＳＩ−ＲＳ構成のためのディレートマッチングを実行することがあり、ＲＬＭ／ＲＲＭのためのＣＳＩ−ＲＳ構成のためのディレートマッチングは実行しないことがありうる。
【００５８】
[0063]  ＵＥは、そのアクティブなＣＳＩ−ＲＳ構成および／または構成されたＣＳＩ−ＲＳ構成に基づいて１つまたは複数の物理チャネルのためのディレートマッチングを実行しうる。例えば、ＵＥは、ＰＤＳＣＨまたはｅＰＤＣＣＨ、またはＰＤＳＣＨとｅＰＤＣＣＨの両方、またはその他の物理チャネル、または物理チャネルの任意の組み合わせのためのディレートマッチングを実行しうる。ＵＥは、すべての物理チャネルについて同じ方法でディレートマッチングを実行しうる。代替的に、ＵＥは、異なる物理チャネルについて異なる方法でディレートマッチングを実行しうる。
【００５９】
[0064]  ＵＥはまた、所与の物理チャネルの異なるタイプについて異なる方法でディレートマッチングを実行しうる。例えば、ＰＤＳＣＨの異なるタイプはサポートされうる。異なるＰＤＳＣＨタイプは、（ｉ）すべてのＵＥに送られるブロードキャストＰＤＳＣＨ、対（versus）、指定のＵＥに送られるユニキャストＰＤＳＣＨ、（ｉｉ）ダウンリンクサブフレームの制御領域における共有サーチ空間（common search space）を介してスケジューリングされるＰＤＳＣＨ、対、制御領域におけるＵＥ特有のサーチ空間を介してスケジューリングされるＰＤＳＣＨ、（ｉｉｉ）ＣｏＭＰのための複数のセルによって送られるＰＤＳＣＨ、対、ＣｏＭＰなしに１つのセルによって送られるＰＤＳＣＨ、（ｉｖ）ほとんど空であるサブフレーム（ＡＢＳ：almost blank subframe）において送られるＰＤＳＣＨ、対、非ＡＢＳサブフレームにおいて送られるＰＤＳＣＨ、（ｖ）対応する制御チャネルなしに送られるＰＤＳＣＨ（例えば、半永続的にスケジューリングされたＰＤＳＣＨ）、対、対応する制御チャネルにより（with）送られるＰＤＳＣＨ、および（ｖｉ）他のタイプのＰＤＳＣＨ、を含みうる。
【００６０】
[0065]  一例において、ＵＥは、すべてのタイプのＰＤＳＣＨのために同様の方法でディレートマッチングを実行しうる。別の例において、ＵＥは、異なるタイプのＰＤＳＣＨについて異なる方法でディレートマッチングを実行しうる。例えば、ＵＥは、（アクティブなＣＳＩ−ＲＳ構成のみに基づく代わりに、）ＵＥのためのすべての構成されたＣＳＩ−ＲＳ構成に基づいてブロードキャストＰＤＳＣＨのためのディレートマッチングを実行しうる。ＵＥは、ＵＥのためのアクティブなＣＳＩ−ＲＳ構成のみに基づいてユニキャストＰＤＳＣＨのためのディレートマッチングを実行しうる。別の例として、ＵＥは、すべての構成されたＣＳＩ−ＲＳ構成に基づいて対応する制御チャネルなしにＰＤＳＣＨのためのディレートマッチングを実行しうる。ＵＥは、アクティブなＣＳＩ−ＲＳ構成のみに基づいて対応する制御チャネルを有するＰＤＳＣＨのためのディレートマッチングを実行することができ、これは対応する制御チャネルを介して示されることができる。
【００６１】
[0066]  ＵＥは、さまざまな方法でｅＰＤＣＣＨのためのディレートマッチングを実行しうる。一例において、ＵＥは、アクティブなＣＳＩ−ＲＳ構成のみに基づいてｅＰＤＣＣＨのためのディレートマッチングを実行しうる。別の例において、ＵＥは、すべての構成されたＣＳＩ−ＲＳ構成に基づいてｅＰＤＣＣＨのためのディレートマッチングを実行しうる。
【００６２】
[0067]  一例において、ＵＥは、ＰＤＳＣＨおよびｅＰＤＣＣＨのために同様の方法でディレートマッチングを実行しうる。例えば、ＵＥは、構成されたＣＳＩ−ＲＳ構成の代わりにアクティブなＣＳＩ−ＲＳ構成に基づいてＰＤＳＣＨおよびｅＰＤＣＣＨのためのディレートマッチングを実行しうる。別の例において、ＵＥは、ＰＤＳＣＨおよびｅＰＤＣＣＨのために異なる方法でディレートマッチングを実行しうる。例えば、ＵＥは、アクティブなＣＳＩ−ＲＳ構成に基づいてＰＤＳＣＨのためのディレートマッチングを実行することができ、構成されたＣＳＩ−ＲＳ構成に基づいてｅＰＤＣＣＨのためのディレートマッチングを実行することができる。
【００６３】
[0068]  ＣＳＩフィードバックのために、ＵＥは、（ｉ）チャネル推定のためのＣＳＩ−ＲＳ構成の１つまたは複数のセットと（ｉｉ）干渉推定のためのＣＳＩ−ＲＳ構成の１つまたは複数のセットで構成されうる。ＵＥは、チャネル推定のために指定されたＣＳＩ−ＲＳ構成の（複数を含む）セットに基づいてチャネル推定を実行することができ、また、干渉推定のために指定されたＣＳＩ−ＲＳ構成の（複数を含む）セットに基づいて干渉推定を実行することができる。ＵＥはまた、チャネル推定のために指定されたＣＲＳ構成に基づいてチャネル推定を実行することがあり、干渉推定のために任意のＣＳＩ−ＲＳ構成で構成されないことがある。
【００６４】
[0069]  一例において、ＵＥは、１つまたは複数の近隣セルのためのＣＳＩ−ＲＳ構成の１つまたは複数のセットをシグナリングされうる。ＵＥは、（複数を含む）近隣セルのためのＣＳＩ−ＲＳ構成に基づいて（複数を含む）近隣セルからのＣＳＩ−ＲＳのために干渉を推定しうる。ＵＥは、サービングセルからのＣＳＩ−ＲＳに基づいてチャネル測定および／または干渉測定を行う前に、（複数を含む）近隣セルからのＣＳＩ−ＲＳのために推定された干渉をキャンセルしうる。（複数を含む）近隣セルからのＣＳＩ−ＲＳの干渉消去（interference cancellation）は、ＣＳＩフィードバック、およびＣｏＭＰセット管理を、特に多くのセルを有する過度に密集したネットワークにおいて、改善しうる。
【００６５】
[0070]  ＵＥは、１つまたは複数の近隣セルのためにＣＳＩ−ＲＳ構成に基づいて、１つまたは複数の物理チャネル（例えば、ＰＤＳＣＨおよび／またはｅＰＤＣＣＨ）のために復号を実行しうる。ＵＥのサービングセルは、（複数を含む）近隣セルのためのＣＳＩ−ＲＳ構成に基づいて、ＰＤＳＣＨおよび／またはｅＰＤＣＣＨのためのレートマッチングを実行せず、（複数を含む）近隣セルによってＣＳＩ−ＲＳのために使用されるリソースエレメント上でＰＤＳＣＨおよび／またはｅＰＤＣＣＨを送信しうる。ＵＥは、（複数を含む）近隣セルのためのＣＳＩ−ＲＳ構成に基づいて（複数を含む）近隣セルからのＣＳＩ−ＲＳの影響をキャンセルしうる。例えば、ＵＥは、（複数を含む）近隣セルのためのＣＳＩ−ＲＳ構成に基づいて（複数を含む）近隣セルからのＣＳＩ−ＲＳのために干渉を推定しうる。ＵＥは、その後、ＰＤＳＣＨおよび／またはｅＰＤＣＣＨのために干渉をキャンセルされた（interference-canceled）シンボルを取得するために（複数を含む）近隣セルからのＣＳＩ−ＲＳのため、推定された干渉をキャンセルしうる。ＵＥは、その後、ＰＤＳＣＨおよび／またはｅＰＤＣＣＨ上で送られたデータを復元（recover）するために干渉をキャンセルされたシンボルを復号しうる。
【００６６】
[0071]  ここで説明した技法は、さまざまな利点を提供しうる。第一に、ＵＥは、アクティブなＣＳＩ−ＲＳ構成に基づいて１つまたは複数の物理チャネルのためのディレートマッチングを実行することができ、これは、ネットワークオペレーティング状況（network operating conditions）のダイナミクス（dynamics）を反映するために頻繁に変化することができる。第二に、ＵＥは、構成されたＣＳＩ−ＲＳ構成の代わりにアクティブなＣＳＩ−ＲＳ構成に基づいて、ディレートマッチング、ＣＳＩフィードバック、ＣｏＭＰセット管理等のような通信タスクを実行しうる。改善されたパフォーマンスは、アクティブなＣＳＩ−ＲＳ構成に基づいて通信タスクを実行することによって取得されうる。改善されたネットワーク効率は、アクティブなＣＳＩ−ＲＳ構成を動的に選択し、示すための能力を用いて取得されうる。
【００６７】
[0072]  図６は、ＣＳＩ−ＲＳを受信するための典型的なプロセス６００を表す。プロセス６００は、（以下で説明されるように）ＵＥによって、または、何らかの他のエンティティによって実行されうる。ＵＥは、ＵＥのために構成された複数のＣＳＩ−ＲＳ構成を示す第１のシグナリングを受信しうる（ブロック６１２）。ＵＥは、ＵＥのための少なくとも１つのアクティブなＣＳＩ−ＲＳ構成を示す第２のシグナリングを受信しうる（ブロック６１４）。少なくとも１つのアクティブなＣＳＩ−ＲＳ構成は、複数のＣＳＩ−ＲＳ構成のすべてまたはサブセットを含みうる。第２のシグナリングは、個別のＣＳＩ−ＲＳ構成、またはＣＳＩ−ＲＳ構成のセット、またはＣＳＩ−ＲＳ構成のグループに関連しうる。ＵＥは、ＵＥのための少なくとも１つのアクティブなＣＳＩ−ＲＳ構成に基づいて、少なくとも１つの通信タスクを実行しうる（ブロック６１６）。
【００６８】
[0073]  一例において、ＵＥは、ＵＥのために構成された複数のＣＳＩ−ＲＳ構成を示す上位レイヤシグナリング（例えば、ＲＲＣシグナリング）を受信しうる。ＵＥは、ＵＥのための少なくとも１つのアクティブなＣＳＩ−ＲＳ構成を示す下位レイヤシグナリングを受信しうる。第２のシグナリングは、物理チャネル（例えば、ＰＤＣＣＨまたはｅＰＤＣＣＨ）上でまたはＭＡＣを介して送られた制御情報を備えうる。複数のＣＳＩ−ＲＳ構成は、ＵＥのために静的にまたは半静的に構成されることができ、ＵＥのための通信セッションの間まれに変化することができる（例えば、いくつかの最低限の数のフレームまたはサブフレームのあと）または全く変化しないことができる。少なくとも１つのアクティブなＣＳＩ−ＲＳ構成は、ＵＥのための通信セッションの間、動的に（例えば、場合によってはサブフレームレベルで）変化しうる。
【００６９】
[0074]  第２のシグナリングは、さまざまな方法で送られうる。ＵＥは、セルにおけるすべてのＵＥへ送られたブロードキャストチャネル、またはＵＥへ送られたユニキャストチャネル、またはＵＥを含むＵＥのグループに送られたマルチキャストのチャネルを介して第２のシグナリングを受信しうる。ＵＥはまた、アクティブなＣＳＩ−ＲＳ構成と他の方法で構成されたＣＳＩ−ＲＳ構成を搬送するシグナリングを受信しうる。
【００７０】
[0075]  一例において、複数のＣＳＩ−ＲＳ構成は、ＣＳＩ−ＲＳ構成の少なくとも２つのセットを含みうる。ＣＳＩ−ＲＳ構成の各セットは、ＵＥによって、例えば、ディレートマッチング、ＣＳＩフィードバック、ＣｏＭＰセット管理、ＲＬＭ／ＲＲＭ等の１つまたは複数の通信タスクと関連付けられうる。各セットは、１つまたは複数のＣＳＩ−ＲＳ構成を含みうる。一例において、第２のシグナリングは、ＣＳＩ−ＲＳ構成の少なくとも２つのセットのための少なくとも２ビットを有するビットマップを備えうる。ビットマップの各ビットは、ＣＳＩ−ＲＳ構成の関連付けられたセットがＵＥのためにアクティブであるかを示しうる。
【００７１】
[0076]  別の例において、ＣＳＩ−ＲＳ構成の少なくとも１つのグループは、ＣＳＩ−ＲＳ構成の少なくとも２つのセットに基づいて形成されうる。ＣＳＩ−ＲＳ構成の各グループは、ＣＳＩ−ＲＳ構成の少なくとも１つのセットを含みうる。第２のシグナリングは、ＣＳＩ−ＲＳ構成の少なくとも１つのグループのための少なくとも１ビットを有するビットマップを備えうる。ビットマップの各ビットは、ＣＳＩ−ＲＳ構成の関連付けられたグループがＵＥのためにアクティブであるかを示しうる。ＵＥのための少なくとも１つのアクティブなＣＳＩ−ＲＳ構成を示す第２のシグナリングはまた、他の方法で送られうる。
【００７２】
[0077]  複数のＣＳＩ−ＲＳ構成のすべてまたはサブセットは、ＵＥのためにアクティブにされるおよび非アクティブにされることができる。一例において、複数のＣＳＩ−ＲＳ構成は、（ｉ）ＵＥのために常にアクティブであるＣＳＩ−ＲＳ構成の第１のサブセットおよび（ｉｉ）ＵＥのためにアクティブにされるまたは非アクティブにされることができるＣＳＩ−ＲＳ構成の第２のサブセットを含みうる。第２のシグナリングは、ＣＳＩ−ＲＳ構成の第２のサブセットにおいて少なくとも１つのアクティブなＣＳＩ−ＲＳ構成を示しうる。
【００７３】
[0078]  一例において、複数のＣＳＩ−ＲＳ構成は、第１の通信タスク（例えば、ディレートマッチング）のためにアクティブであり、第２の通信タスク（例えば、ＣＳＩフィードバック）のために非アクティブ（inactive）である、ＣＳＩ−ＲＳ構成を含みうる。別の例において、複数のＣＳＩ−ＲＳ構成は、第１の通信タスクのためにアクティブにされるまたは非アクティブにされることができ、第２の通信タスクのために常にアクティブである、ＣＳＩ−ＲＳ構成を含みうる。さらに別の例において、複数のＣＳＩ−ＲＳ構成は、第１の通信タスクのためにアクティブにされるまたは非アクティブにされることができる第１のＣＳＩ−ＲＳ構成と、第２の通信タスクのために常にアクティブである第２のＣＳＩ−ＲＳ構成とを含みうる。さらに別の例において、複数のＣＳＩ−ＲＳ構成は、第１のセルのためのＣＳＩ−ＲＳ構成の第１のセットと、第２のセルのためのＣＳＩ−ＲＳ構成の第２のセットを含みうる。ＵＥのための少なくとも１つのアクティブなＣＳＩ−ＲＳ構成は、ＣＳＩ−ＲＳ構成の第１のセットまたは第２のセットの何れかを備えうる。アクティブなＣＳＩ−ＲＳ構成はまた、他の方法で定義づけられうる。
【００７４】
[0079]  ブロック６１６の一例において、ＵＥは、ＵＥのための少なくとも１つのアクティブなＣＳＩ−ＲＳ構成に基づいてＣＳＩフィードバックを決定しうる。代替的にまたは加えて、ＵＥは、ＵＥのための少なくとも１つのアクティブなＣＳＩ−ＲＳ構成に基づいて、少なくとも１つの物理チャネルのためのディレートマッチングを実行しうる。一例において、ＵＥは、ＵＥのための少なくとも１つのアクティブなＣＳＩ−ＲＳ構成に基づいて、第１の物理チャネル（例えば、ＰＤＳＣＨまたはユニキャストＰＤＳＣＨ）のためのディレートマッチングを実行しうる。ＵＥは、ＵＥのために構成された複数のＣＳＩ−ＲＳ構成に基づいて第２の物理チャネル（例えば、ｅＰＤＣＣＨまたはブロードキャストＰＤＳＣＨ）のためのディレートマッチングを実行しうる。別の例において、ＵＥは、少なくとも１つのアクティブなＣＳＩ−ＲＳ構成に基づいて、第１および第２の物理チャネルのために同一の方法でディレートマッチングを実行しうる。ＵＥはまた、ＵＥのための少なくとも１つのアクティブなＣＳＩ−ＲＳ構成に基づいて干渉を推定しうる。
【００７５】
[0080]  一例において、ＵＥは、複数のＣＳＩ−ＲＳ構成のＣＳＩ−ＲＳタイプを決定しうる。ＵＥは、第１のＣＳＩ−ＲＳタイプのＣＳＩ−ＲＳ構成を考慮し、第２のＣＳＩ−ＲＳタイプのＣＳＩ−ＲＳ構成を考慮しないことによって通信タスク（例えば、ディレートマッチング）を実行しうる。
【００７６】
[0081]  一例において、ＵＥは、少なくとも１つの近隣セルのための少なくとも１つのＣＳＩ−ＲＳ構成を示すシグナリングを受信しうる。ＵＥは、（複数を含む）近隣セルのための少なくとも１つのＣＳＩ−ＲＳ構成に基づいて（複数を含む）近隣セルからのＣＳＩ−ＲＳのための干渉消去を実行しうる。（複数を含む）近隣セルからのＣＳＩ−ＲＳのための干渉消去を実行したあと、ＵＥは、ＣＳＩフィードバックを決定し、および／または、少なくとも１つの物理チャネル（例えば、ＰＤＳＣＨおよび／またはｅＰＤＣＣＨ）を復号しうる。
【００７７】
[0082]  図７は、ＣＳＩ−ＲＳを送るための典型的なプロセス７００を表す。プロセス７００は、（以下で説明されるような）セル／基地局によって、または、何らかの他のエンティティによって実行されうる。セルは、複数のＣＳＩ−ＲＳ構成を有するＵＥを構成するために第１のシグナリングを送りうる（ブロック７１２）。セルは、ＵＥのための少なくとも１つのアクティブなＣＳＩ−ＲＳ構成を示すために第２のシグナリングを送りうる（ブロック７１４）。少なくとも１つのアクティブなＣＳＩ−ＲＳ構成は、複数のＣＳＩ−ＲＳ構成のすべてまたはサブセットを含みうる。セルは、ＵＥのための少なくとも１つのアクティブなＣＳＩ−ＲＳ構成に基づいて、少なくとも１つの通信タスクを実行しうる（ブロック７１６）。
【００７８】
[0083]  一例において、セルは、複数のＣＳＩ−ＲＳ構成を有するＵＥを構成するために上位レイヤシグナリング（例えば、ＲＲＣシグナリング）を送りうる。セルは、ＵＥのための少なくとも１つのアクティブなＣＳＩ−ＲＳ構成を示すための下位レイヤシグナリングを送りうる。下位レイヤシグナリングは、物理チャネル（例えば、ＰＤＣＣＨまたはｅＰＤＣＣＨ）上でまたはＭＡＣを介して送られた制御情報を備えうる。セルは、セルにおけるすべてのＵＥへ送られたブロードキャストチャネル、またはＵＥへ送られたユニキャストチャネル、またはＵＥを含むＵＥのグループに送られたマルチキャストのチャネルを介して第２のシグナリングを送りうる。第２のシグナリングは、ＣＳＩ−ＲＳ構成の各セットのための１ビットまたはＣＳＩ−ＲＳ構成の少なくとも１つのセットの各グループのための１ビットを有するビットマップを備えうる。第２のシグナリングはまた、他の情報を備えうる。
【００７９】
[0084]  複数のＣＳＩ−ＲＳ構成のすべてまたはサブセットは、ＵＥのためにアクティブにされるおよび非アクティブにされることができる。一例において、複数のＣＳＩ−ＲＳ構成は、（ｉ）ＵＥのために常にアクティブであるＣＳＩ−ＲＳ構成の第１のサブセットおよび（ｉｉ）ＵＥのためにアクティブにされるまたは非アクティブにされることができるＣＳＩ−ＲＳ構成の第２のサブセットを含みうる。第２のシグナリングは、ＣＳＩ−ＲＳ構成の第２のサブセットにおいて少なくとも１つのアクティブなＣＳＩ−ＲＳ構成を示しうる。
【００８０】
[0085]  一例において、複数のＣＳＩ−ＲＳ構成は、第１の通信タスク（例えば、レートマッチング）のためにアクティブであり、第２の通信タスク（例えば、ＣＳＩ報告）のために非アクティブである、ＣＳＩ−ＲＳ構成を含みうる。別の例において、複数のＣＳＩ−ＲＳ構成は、第１の通信タスクのためにアクティブにされるまたは非アクティブにされることができ、第２の通信タスクのために常にアクティブである、ＣＳＩ−ＲＳ構成を含みうる。さらに別の例において、複数のＣＳＩ−ＲＳ構成は、（ｉ）第１の通信タスクのためにアクティブにされるまたは非アクティブにされることができる第１のＣＳＩ−ＲＳ構成と、（ｉｉ）第２の通信タスクのために常にアクティブである第２のＣＳＩ−ＲＳ構成とを含みうる。さらに別の例において、複数のＣＳＩ−ＲＳ構成は、第１のセルのためのＣＳＩ−ＲＳ構成の第１のセットと、第２のセルのためのＣＳＩ−ＲＳ構成の第２のセットを含みうる。ＵＥのための少なくとも１つのアクティブなＣＳＩ−ＲＳ構成は、ＣＳＩ−ＲＳ構成の第１または第２のセットの何れかを含みうる。
【００８１】
[0086]  ブロック７１６の一例において、セルは、ＵＥのための少なくとも１つのアクティブなＣＳＩ−ＲＳ構成に基づいてＵＥによって決定されたＣＳＩフィードバックを受信しうる。代替的にまたは加えて、セルは、ＵＥのための少なくとも１つのアクティブなＣＳＩ−ＲＳ構成に基づいて、少なくとも１つの物理チャネルのためのレートマッチングを実行しうる。一例において、セルは、（ｉ）ＵＥのための少なくとも１つのアクティブなＣＳＩ−ＲＳ構成に基づいて、第１の物理チャネル（例えば、ＰＤＳＣＨまたはユニキャストＰＤＳＣＨ）、および（ｉｉ）ＵＥのために構成された複数のＣＳＩ−ＲＳ構成に基づいて、第２の物理チャネル（例えば、ｅＰＤＣＣＨまたはブロードキャストＰＤＳＣＨ）のためのレートマッチングを実行しうる。別の例において、セルは、第１および第２の物理チャネルのために同様の方法でレートマッチングを実行しうる。
【００８２】
[0087]  一例において、セルは、複数のＣＳＩ−ＲＳ構成のＣＳＩ−ＲＳタイプを決定しうる。セルは、第１のＣＳＩ−ＲＳタイプのＣＳＩ−ＲＳ構成に基づき、第２のＣＳＩ−ＲＳタイプのＣＳＩ−ＲＳ構成には基づかずに通信タスク（例えば、レートマッチング）を実行しうる。
【００８３】
[0088]  一例において、セルは、少なくとも１つの近隣セルのための少なくとも１つのＣＳＩ−ＲＳ構成を示すシグナリングを送りうる。ＵＥは、（複数を含む）近隣セルのための少なくとも１つのＣＳＩ−ＲＳ構成に基づいて（複数を含む）近隣セルからのＣＳＩ−ＲＳのための干渉消去を実行しうる。
【００８４】
[0089]  図８は、基地局／ｅＮＢ １１０ｘおよびＵＥ １３０ｘのブロック図を表し、それは図１におけるｅＮＢのうちの１つおよびＵＥのうちの１つでありうる。ＵＥ １３０ｘ内で、受信機８１０は、基地局、中継器等によって送信された信号を受信しうる。モジュール８１２は、基地局１１０ｘおよび／または他の基地局から基準信号（例えば、ＣＲＳ、ＣＳＩ−ＲＳ等）を受信しうる。モジュール８１４は、ＵＥ １３０ｘのために構成されたＣＳＩ−ＲＳ構成を搬送する上位レイヤシグナリングと、ＵＥ １３０ｘのためのアクティブなＣＳＩ−ＲＳ構成を搬送する下位レイヤシグナリングとを受信しうる。モジュール８１６は、受信されたシグナリングに基づいてＵＥ １３０ｘのためのアクティブなＣＳＩ−ＲＳ構成および構成されたＣＳＩ−ＲＳ構成を決定しうる。モジュール８１８は、アクティブなＣＳＩ−ＲＳ構成に基づいてディレートマッチングを実行することができ、ディレートマッチングの後に復号を実行することができる。モジュール８２２は、チャネル推定のために指定されたＵＥ １３０ｘのためのアクティブなＣＳＩ−ＲＳ構成に基づいてチャネル推定を実行しうる。モジュール８２２はまた、干渉推定のために指定されたアクティブなＣＳＩ−ＲＳ構成に基づいて干渉推定を実行しうる。モジュール８１８および／または８２２は、復号またはチャネル推定を実行する前に近隣セルのためのＣＳＩ−ＲＳ構成に基づいて近隣セルからＣＳＩ−ＲＳのための干渉消去を実行しうる。モジュール８２４は、チャネル推定および干渉推定のための測定に基づいてＣＳＩフィードバックを決定しうる。モジュール８２４は、対象の（interest）１つまたは複数のキャリアのためのＣＳＩを報告しうる。送信機８２０は、他の情報と同様に、ＣＳＩも送信しうる。ＵＥ １３０ｘ内のさまざまなモジュールは、上述したように動作しうる。コントローラ／プロセッサ８２８は、ＵＥ １３０ｘ内のさまざまなモジュールの動作を指示しうる。メモリ８２６は、ＵＥ １３０ｘに対する、データおよびプログラムコードを記憶しうる。
【００８５】
[0090]  基地局１１０ｘ内で、モジュール８５６は、ＣＳＩ−ＲＳ構成を有するＵＥ １３０ｘを構成することができ、ＵＥ １３０ｘのためのアクティブなＣＳＩ−ＲＳ構成を決定することができる。モジュール８５４は、構成されたＣＳＩ−ＲＳ構成を搬送する上位レイヤシグナリングと、ＵＥ １３０ｘのためのアクティブなＣＳＩ−ＲＳ構成を搬送する下位レイヤシグナリングとを生成しうる。モジュール８５４は、ＵＥ １３０ｘへシグナリングを送りうる。モジュール８５８は、ＵＥ １３０ｘへ送られた制御情報および／またはデータをエンコードすることができ、ＵＥ １３０ｘのためのアクティブなＣＳＩ−ＲＳ構成に基づいてレートマッチングを実行することができる。モジュール８５２は、ＵＥ １３０ｘのためにアクティブなＣＳＩ−ＲＳ構成に基づいてＣＳＩ−ＲＳを生成および送りうる。送信機８５０は、ＣＳＩ−ＲＳ、シグナリング、データおよび／または他の情報を備える１つまたは複数のダウンリンク信号を送信しうる。受信機８６０は、ＵＥ １３０ｘおよび他のＵＥによって送信されたアップリンク信号を受信しうる。モジュール８６２は、アクティブなＣＳＩ−ＲＳ構成に基づいてＵＥ １３０ｘによって決定されたＣＳＩフィードバックを受信しうる。モジュール８６４は、ＣＳＩに基づいてデータ送信のためにＵＥ １３０ｘをスケジューリングしうる。基地局１１０ｘ内のさまざまなモジュールは、上述したように動作しうる。コントローラ／プロセッサ８６６は、基地局１１０ｘ内のさまざまなモジュールの動作を指示しうる。メモリ８６８は、基地局１１０ｘのためのデータおよびプログラムコードを記憶しうる。
【００８６】
[0091]  図８におけるモジュールは、プロセッサ、電子デバイス、ハードウェアデバイス、電子コンポーネント、論理回路、メモリ、ソフトウェアコード、ファームウェアコード等、または、それらの任意の組み合わせを備えうる。
【００８７】
[0092]  
図９は、基地局／ｅＮＢ １１０ｙおよびＵＥ １３０ｙのブロック図を表し、それは、図１における基地局／ｅＮＢのうちの１つおよびＵＥのうちの１つでありうる。基地局１１０ｙは、Ｔ個のアンテナ９３４ａから９３４ｔを装備されることができ、ＵＥ １３０ｙは、Ｒ個のアンテナ９５２ａから９５２ｒを装備されることができ、ここで、一般的に、Ｔ≧１およびＲ≧１である。
【００８８】
[0093]  基地局１１０ｙでは、送信プロセッサ９２０は、１つまたは複数のＵＥへ送信のためのデータソース９１２からデータを受信し、そのＵＥのために選択された１つまたは複数の変調およびコーディング方式に基づいて各ＵＥのためのデータを処理（例えば、エンコードおよび変調）し、すべてのＵＥのためにデータシンボルを提供しうる。送信プロセッサ９２０はまた、制御情報（例えば、スケジューリンググラント（scheduling grants）、構成メッセージ、シグナリング等）を処理し、制御シンボルを提供しうる。制御情報は、ＣＳＩ−ＲＳ構成を有するＵＥ １３０ｙを構成するために上位レイヤシグナリングおよびＵＥ １３０ｙのためのアクティブなＣＳＩ−ＲＳ構成を示す下位レイヤシグナリングを含みうる。プロセッサ９２０はまた、ＣＲＳ、ＣＳＩ−ＲＳ等のような１つまたは複数の基準信号のための基準シンボル（reference symbols）を生成しうる。送信（ＴＸ）多入力多出力（ＭＩＭＯ）プロセッサ９３０は、データシンボル、制御シンボル、および／または（適用可能な場合）基準信号をプリコーディングし、Ｔ個の出力シンボルストリームをＴ個の変調器（ＭＯＤ）９３２ａから９３２ｔへ提供しうる。各変調器９３２は、（例えば、ＯＦＤＭ等のために）その出力シンボルストリームを処理し、出力サンプルストリームを取得しうる。各変調器９３２は、その出力サンプルストリームをさらに調整（例えば、アナログ変換、増幅、フィルタリング、およびアップコンバート）し、ダウンリンク信号を取得しうる。変調器９３２ａから９３２ｔからのＴ個のダウンリンク信号は、それぞれ、Ｔ個のアンテナ９３４ａから９３４ｔを介して送信されうる。
【００８９】
[0094]  ＵＥ １３０ｙでは、アンテナ９５２ａから９５２ｒが、ダウンリンク信号を基地局１１０ｙおよび／または他の基地局から受信することができ、それぞれ、受信された信号を復調器（ＤＥＭＯＤ）９５４ａから９５４ｒに提供することができる。各復調器９５４は、その受信された信号を調整（例えば、フィルタリング、増幅、ダウンコンバート、およびデジタル化）し、入力サンプルを取得しうる。各復調器９５４は、（例えば、ＯＦＤＭ等のために）入力サンプルをさらに処理し、受信されたシンボルを取得しうる。ＭＩＭＯ検出器９５６は、受信されたシンボルをすべてのＲ個の復調器９５４ａから９５４ｒから取得し、受信されたシンボル上でＭＩＭＯ検出を実行し、検出されたシンボルを提供しうる。受信プロセッサ９５８は、検出されたシンボルを処理（例えば、復調および復号）し、復号されたデータを取得しうる。受信プロセッサ９５８は、ＣＳＩ−ＲＳ構成を有するＵＥ １３０ｙを構成する上位レイヤシグナリングおよびＵＥ １３０ｙのためのアクティブなＣＳＩ−ＲＳ構成を示す下位レイヤシグナリングを取得しうる。受信プロセッサ９５８は、ＵＥ １３０ｙのための構成されたＣＳＩ−ＲＳ構成および／またはアクティブなＣＳＩ−ＲＳ構成に基づいて、ＰＤＳＣＨ、ｅＰＤＣＣＨ、および／または他の物理チャネルのためのディレートマッチングを実行しうる。受信プロセッサ９５８は、ＵＥ １３０ｙのために復号されたデータをデータシンク９６０に提供し、復号された制御情報をコントローラ／プロセッサ９８０に提供しうる。チャネルプロセッサ９８４は、ＵＥ １３０ｙのためにアクティブなＣＳＩ−ＲＳ構成に基づいて、これらのキャリア上で受信されたＣＳＩ−ＲＳに基づいて異なるキャリアのためのチャネル推定および／または干渉推定を実行しうる。チャネルプロセッサ９８４および／またはコントローラ９８０は、チャネル推定および／または干渉推定のための測定に基づいて対象の各キャリアのためのＣＳＩを決定しうる。
【００９０】
[0095]  アップリンク上で、ＵＥ １３０ｙにおいて、送信プロセッサ９６４は、データソース９６２からのデータおよびコントローラ／プロセッサ９８０からの制御情報（例えば、ＣＳＩフィードバック等）を受信および処理しうる。プロセッサ９６４はまた、１つまたは複数の基準信号のための基準シンボルを生成しうる。送信プロセッサ９６４からのシンボルは、適用可能な場合に、ＴＸ ＭＩＭＯプロセッサ９６６によってプリコーディングされ、（例えば、ＳＣ−ＦＤＭ、ＯＦＤＭ等のために）変調器９５４ａから９５４ｒによってさらに処理され、基地局１１０ｙに送信されうる。基地局１１０ｙでは、ＵＥ １３０ｙと他のＵＥとからのアップリンク信号は、アンテナ９３４によって受信され、復調器９３２によって処理され、適用可能な場合、ＭＩＭＯ検出器９３６によって検出され、受信プロセッサ９３８によってさらに処理され、復号されたデータと、ＵＥ １３０ｙおよび他のＵＥによって送られた制御情報とを取得しうる。プロセッサ９３８は、復号されたデータをデータシンク９３９に、そして、復号された制御情報をコントローラ／プロセッサ９４０に提供しうる。
【００９１】
[0096]  コントローラ／プロセッサ９４０および９８０は、それぞれ、基地局１１０ｙおよびＵＥ １３０ｙにおける動作を指示しうる。基地局１１０ｙにおけるプロセッサ９４０および／または他のプロセッサおよびモジュールは、セルについては図５におけるメッセージフロー５００の一部を、図７におけるプロセス７００を、および／またはここで記述した技法に対する他の処理を実行または指示しうる。ＵＥ １３０ｙにおけるプロセッサ９８０および／または他のプロセッサおよびモジュールは、ＵＥについては図５におけるメッセージフロー５００の一部を、図６におけるプロセス６００を、および／または、ここで記述した技法に対する他のプロセスを、実行または指示しうる。メモリ９４２および９８２は、基地局１１０ｙおよびＵＥ １３０ｙのためのデータとプログラムコードとをそれぞれ記憶しうる。スケジューラ９４４は、ダウンリンクおよび／またはアップリンク上でのデータ送信のためにＵＥをスケジューリングしうる。
【００９２】
[0097]  さまざまな異なる技術および技法のうちの任意のものを使用して、情報および信号が表されうることを、当業者は理解するだろう。例えば、上記の説明を通して参照されうるデータ、命令群、コマンド、情報、信号、ビット、シンボル、およびチップは、電圧、電流、電磁波、磁界あるいは磁気粒子、光場または光学粒子、あるいはそれら任意の組み合わせによって表わされうる。
【００９３】
[0098]  ここでの開示に関連して記述した、さまざまな例示的な論理ブロック、モジュール、回路、およびアルゴリズムステップは、電子ハードウェア、コンピュータソフトウェア、あるいは双方を組み合わせたものとしてインプリメントされうることを、当業者はさらに認識するだろう。ハードウェアおよびソフトウェアのこの互換性を明確に例示するために、さまざまな例示的なコンポーネント、ブロック、モジュール、回路、およびステップが、一般にそれらの機能の観点から上記で説明されている。このような機能性が、ハードウェアまたはソフトウェアとしてインプリメントされるかは、システム全体に課せられている設計制約および特定のアプリケーションに依存する。当業者は、それぞれの特定のアプリケーションのための方法を変えて、記述した機能性をインプリメントしうるが、このようなインプリメンテーションの決定は、本開示の範囲から逸脱が生じるとして解釈されるべきでない。
【００９４】
[0099]  ここでの開示に関連して記述した、さまざまな例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブルロジックデバイス、ディスクリートゲートまたはトランジスタロジック、ディスクリートハードウェアコンポーネント、あるいは、ここで記述した機能を実行するように設計されているこれらの任意の組み合わせでインプリメントまたは実行されうる。汎用プロセッサはマイクロプロセッサでありうるが、代替としてプロセッサは任意の従来のプロセッサ、コントローラ、マイクロプロセッサ、またはステートマシンでありうる。プロセッサはまた、例えば、ＤＳＰとマイクロプロセッサ、複数のマイクロプロセッサ、ＤＳＰコアと連動した１つまたは複数のマイクロプロセッサ、または他の任意のそのような構成の組み合わせのような、コンピューティングデバイスの組み合わせとしてインプリメントされうる。
【００９５】
[00100]  ここでの開示に関連して説明された方法またはアルゴリズムのステップは、ハードウェアで直接的に、プロセッサによって実行されるソフトウェアモジュールで、または両者の組み合わせで、具現化されうる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーブバルディスク、ＣＤ−ＲＯＭ、あるいは当技術分野で知られている任意の他の形態の記憶媒体中に存在しうる。典型的な記憶媒体は、プロセッサが記憶媒体から情報を読み出し、記憶媒体に情報を書き込むことができるように、プロセッサに結合される。代替においては、記憶媒体はプロセッサに統合されうる。プロセッサおよび記憶媒体はＡＳＩＣに存在しうる。ＡＳＩＣは、ユーザ端末内に存在しうる。代替においては、プロセッサおよび記憶媒体は離散的なコンポーネントとしてユーザ端末内に存在しうる。
【００９６】
[00101]  １つまたは複数の例示的な設計では、記述した機能は、ハードウェア、ソフトウェア、ファームウェア、またはこれらの任意の組み合わせでインプリメントされうる。ソフトウェアでインプリメントされる場合に、機能は、１つまたは複数の命令またはコードとして、コンピュータ可読媒体上に記憶されることができ、あるいは、１つまたは複数の命令またはコードとして、コンピュータ可読媒体上に送信されることができる。コンピュータ可読媒体は、１つの場所から別の場所へのコンピュータプログラムの転送を容易にする任意の媒体を含む通信媒体とコンピュータ記憶媒体との両方を含む。記憶媒体は、汎用コンピュータまたは特殊目的コンピュータによってアクセスできる任意の利用可能な媒体でありうる。限定ではなく、例として、このようなコンピュータ可読媒体は、ＲＡＭ、ＲＯＭ、ＥＥＰＲＯＭ、ＣＤ−ＲＯＭ、あるいはその他の光学ディスク記憶装置、磁気ディスク記憶装置又はその他の磁気記憶デバイス、あるいは、命令群又はデータ構造の形態で望ましいプログラムコード手段を搬送又は記憶するために使用されることができ、かつ、汎用又は特殊用途コンピュータ、あるいは汎用又は特殊用途プロセッサによってアクセスすることができるその他任意の媒体を備えうる。ここで使用されるディスク（disk）およびディスク（disc）は、コンパクトディスク（ＣＤ）（disc）、レーザーディスク（登録商標）（disc）、光学ディスク（disc）、デジタル多用途ディスク（ＤＶＤ）（disc）、フロッピー（登録商標）ディスク（disk）、ブルーレイ（登録商標）ディスク（disc）を含み、ディスク（disk）は通常はデータを磁気的に再生し、ディスク（disc）は通常はデータをレーザで光学的に再生する。先のものを組み合わせたものもまた、コンピュータ可読媒体の範囲内に含まれるべきである。
【００９７】
[00102]  本開示の上述記載は、当業者が本開示を実施または使用することを可能にするために提供される。本開示に対するさまざまな変更は、当業者に容易に理解され、ここで定義された一般的な原理は、本開示の意図または範囲から逸脱せずに、他の変形例に適用されることができる。よって、本開示は、ここで説明される例および設計に限定されるように意図されたものではなく、ここで開示された原理および新規の特徴と矛盾しない最大範囲であると認められるべきである。
【図１】
2015524641.tif 000008
【図２】
2015524641.tif 000009
【図３】
2015524641.tif 000010
【図４】
2015524641.tif 000011
【図５】
2015524641.tif 000012
【図６】
2015524641.tif 000013
【図７】
2015524641.tif 000014
【図８】
2015524641.tif 000015
【図９】
2015524641.tif 000016
【国際調査報告】
2015524641.tif 000017
2015524641.tif 000018
2015524641.tif 000019